(57)【要約】  採光フィルムは、光透過性を有する基材と、基材の一面に互いに隣接して形成された複数の光透過性を有する突起部と、突起部同士の間に形成された空隙部と、を備え、突起部の基材側の端面の面積は、突起部の前記基材とは反対側の端面の面積よりも大きく、複数の突起部において、互いに隣接する２つの突起部の間隔ｓと突起部の幅ｗとの比ｓ／ｗが０．１以下である。
2014196596.tif 000002
【特許請求の範囲】
【請求項１】
光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である採光フィルム。
【請求項２】
光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている採光フィルム。
【請求項３】
光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい採光フィルム。
【請求項４】
前記突起部の前記基材側の端面の面積は、前記突起部の前記基材とは反対側の端面の面積よりも大きい請求項１から請求項３までのいずれか一項に記載の採光フィルム。
【請求項５】
前記複数の突起部には、側面の傾斜角度が、前記基材側から前記基材とは反対側にかけて、連続的または段階的に変化する複数の突起部が含まれている請求項４に記載の採光フィルム。
【請求項６】
前記複数の突起部には、側面の傾斜角度が互いに異なる複数の突起部が含まれている請求項４又は請求項５に記載の係る採光フィルム。
【請求項７】
前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化する請求項４から請求項６までのいずれか一項に記載の採光フィルム。
【請求項８】
光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている採光フィルム。
【請求項９】
光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている採光フィルム。
【請求項１０】
前記複数の突起部には、互いに隣接する２つの前記突起部の一部が接している構成が含まれている請求項４から請求項７までのいずれか一項に記載の採光フィルム。
【請求項１１】
ガラス基板と、前記ガラス基板の一面に互いに隣接して形成された複数の光透過性を有する突起部と、前記突起部同士の間に形成された空隙部と、を備え、前記突起部の前記ガラス基板側の端面の面積は、前記突起部の前記ガラス基板とは反対側の端面の面積よりも大きく、前記複数の突起部において、互いに隣接する２つの前記突起部の間隔ｓと前記突起部の幅ｗとの比ｓ／ｗが０．１以下である窓ガラス。
【請求項１２】
ガラス基板と、前記ガラス基板の一面に互いに隣接して形成された複数の光透過性を有する突起部と、前記突起部同士の間に形成された空隙部と、を備え、前記ガラス基板の一面において前記突起部同士の間の領域に設けられた光吸収体と、を備えている窓ガラス。
【請求項１３】
ガラス基板と、前記ガラス基板の一面に互いに隣接して形成された複数の光透過性を有する突起部と、前記突起部同士の間に形成された空隙部と、を備え、前記ガラス基板の一面において前記突起部同士の間の領域に設けられた第２の突起部と、を備え、前記第２の突起部は、前記ガラス基板の一面に対して傾斜した傾斜面を有し、前記第２の突起部の高さは前記突起部の高さよりも小さい窓ガラス。
【請求項１４】
前記突起部の前記ガラス基板側の端面の面積は、前記突起部の前記ガラス基板とは反対側の端面の面積よりも大きい請求項１１から請求項１３までのいずれか一項に記載の窓ガラス。
【請求項１５】
前記複数の突起部には、側面の傾斜角度が、前記ガラス基板側から前記ガラス基板とは反対側にかけて、連続的または段階的に変化する複数の突起部が含まれている請求項１４に記載の窓ガラス。
【請求項１６】
前記複数の突起部には、側面の傾斜角度が互いに異なる複数の突起部が含まれている請求項１４又は請求項１５に記載の係る窓ガラス。
【請求項１７】
前記突起部は、直線状または曲線状に延在しており、前記突起部の前記延在方向と直交する断面における前記突起部の２つの側面は、いずれも側面の傾斜角度が、前記ガラス基板側から前記ガラス基板とは反対側にかけて、連続的または段階的に変化する請求項１４から請求項１６までのいずれか一項に記載の窓ガラス。
【請求項１８】
ガラス基板と、前記ガラス基板の一面に互いに隣接して形成された複数の光透過性を有する突起部と、前記突起部同士の間に形成された空隙部と、を備え、前記複数の突起部には、側面の傾斜角度が、前記ガラス基板側から前記ガラス基板とは反対側にかけて、連続的または段階的に変化する複数の突起部が含まれている窓ガラス。
【請求項１９】
ガラス基板と、前記ガラス基板の一面に互いに隣接して形成された複数の光透過性を有する突起部と、前記突起部同士の間に形成された空隙部と、を備え、前記複数の突起部には、側面の傾斜角度が互いに異なる複数の突起部が含まれている窓ガラス。
【請求項２０】
前記複数の突起部には、互いに隣接する２つの前記突起部の一部が接している構成が含まれている請求項１４から請求項１７までのいずれか一項に記載の窓ガラス。
【請求項２１】
採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下であるロールスクリーン。
【請求項２２】
採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えているロールスクリーン。
【請求項２３】
採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さいロールスクリーン。
【請求項２４】
前記突起部の前記基材側の端面の面積は、前記突起部の前記基材とは反対側の端面の面積よりも大きい請求項２１から請求項２３までのいずれか一項に記載のロールスクリーン。
【請求項２５】
前記複数の突起部には、側面の傾斜角度が、前記基材側から前記基材とは反対側にかけて、連続的または段階的に変化する複数の突起部が含まれている請求項２４に記載のロールスクリーン。
【請求項２６】
前記複数の突起部には、側面の傾斜角度が互いに異なる複数の突起部が含まれている請求項２４又は請求項２５に記載のロールスクリーン。
【請求項２７】
前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化する請求項２４から請求項２６までのいずれか一項に記載のロールスクリーン。
【請求項２８】
採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれているロールスクリーン。
【請求項２９】
採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれているロールスクリーン。
【請求項３０】
前記複数の突起部には、互いに隣接する２つの前記突起部の一部が接している構成が含まれている請求項２４から請求項２７までのいずれか一項に記載のロールスクリーン。
【請求項３１】
互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である採光ルーバー。
【請求項３２】
互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている採光ルーバー。
【請求項３３】
互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい採光ルーバー。
【請求項３４】
前記突起部の前記基材側の端面の面積は、前記突起部の前記基材とは反対側の端面の面積よりも大きい請求項３１から請求項３３までのいずれか一項に記載の採光ルーバー。
【請求項３５】
前記複数の突起部には、側面の傾斜角度が、前記基材側から前記基材とは反対側にかけて、連続的または段階的に変化する複数の突起部が含まれている請求項３４に記載の採光ルーバー。
【請求項３６】
前記複数の突起部には、側面の傾斜角度が互いに異なる複数の突起部が含まれている請求項３４又は請求項３５に記載の係る採光ルーバー。
【請求項３７】
前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化する請求項３４から請求項３６までのいずれか一項に記載の採光ルーバー。
【請求項３８】
互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている採光ルーバー。
【請求項３９】
互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている採光ルーバー。
【請求項４０】
前記複数の突起部には、互いに隣接する２つの前記突起部の一部が接している構成が含まれている請求項３４から請求項３７までのいずれか一項に記載の採光ルーバー。
【発明の詳細な説明】
【技術分野】
【０００１】
本発明は、採光フィルム、窓ガラス、ロールスクリーン及び採光ルーバーに関する。
本願は、２０１３年６月７日に、日本に出願された特願２０１３−１２１２７７号に基づき優先権を主張し、その内容をここに援用する。
【背景技術】
【０００２】
窓ガラスに入射する光を効率よく屋内に導くための技術として、特許文献１に記載の技術が知られている。特許文献１の技術は、透光性の支持体の一方の面に複数の単位プリズムを形成した採光フィルムを、単位プリズム側を外側に向けて窓ガラスの外面（屋外側の面）に貼り付けるものである。単位プリズム側から入射した光は、単位プリズムの表面で屈折し、単位プリズム、支持体および窓ガラスを透過して屋内に入射する。
【先行技術文献】
【特許文献】
【０００３】
【特許文献１】特開２００８−４００２１号公報
【発明の概要】
【発明が解決しようとする課題】
【０００４】
しかしながら、特許文献１に示す採光フィルムにおいては、窓ガラスに入射する光をすべて屋内の天井に向けて進行させることができるわけではなく、採光フィルムで屈折したりあるいはそのまま透過したりすることによって屋内の天井以外の方向に向けて進行する光もある。そうすると、屋内の天井以外の方向に向けて進行する光は、屋内に居る人の眼の位置を通過する場合がある。この場合、屋内に居る人に眩しさを感じさせることとなる。【０００５】
本発明の一態様は、上記の課題を解決するためになされたものであって、屋内に居る人に眩しさを感じさせることを抑制することが可能な採光フィルム、窓ガラス、ロールスクリーン及び採光ルーバーを提供することを目的とする。
【課題を解決するための手段】
【０００６】
上記の目的を達成するために、本発明の一態様は以下の手段を採用した。【０００７】
（１）すなわち、本発明の第一の態様に係る採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である。【０００８】
（２）本発明の第二の態様に係る採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている。【０００９】
（３）本発明の第三の態様に係る採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい。【００１０】
（４）上記（１）から（３）までのいずれか一項に記載の採光フィルムでは、前記突起部の前記基材側の端面の面積は、前記突起部の前記基材とは反対側の端面の面積よりも大きくてもよい。【００１１】
（５）上記（４）に記載の採光フィルムでは、前記複数の突起部には、側面の傾斜角度が、前記基材側から前記基材とは反対側にかけて、連続的または段階的に変化する複数の突起部が含まれていてもよい。【００１２】
（６）上記（４）又は（５）に記載の係る採光フィルムでは、前記複数の突起部には、側面の傾斜角度が互いに異なる複数の突起部が含まれていてもよい。【００１３】
（７）上記（４）から（６）までのいずれか一項に記載の採光フィルムでは、前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化してもよい。【００１４】
（８）本発明の第四の態様に係る採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている。【００１５】
（９）本発明の第五の態様に係る採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている。【００１６】
（１０）上記（４）から（７）までのいずれか一項に記載の採光フィルムでは、前記複数の突起部には、互いに隣接する２つの前記突起部の一部が接している構成が含まれていてもよい。【００１７】
（１１）本発明の第一の態様に係る窓ガラスは、ガラス基板と、前記ガラス基板の一面に互いに隣接して形成された複数の光透過性を有する突起部と、前記突起部同士の間に形成された空隙部と、を備え、前記突起部の前記ガラス基板側の端面の面積は、前記突起部の前記ガラス基板とは反対側の端面の面積よりも大きく、前記複数の突起部において、互いに隣接する２つの前記突起部の間隔ｓと前記突起部の幅ｗとの比ｓ／ｗが０．１以下である。【００１８】
（１２）本発明の第二の態様に係る窓ガラスは、ガラス基板と、前記ガラス基板の一面に互いに隣接して形成された複数の光透過性を有する突起部と、前記突起部同士の間に形成された空隙部と、を備え、前記ガラス基板の一面において前記突起部同士の間の領域に設けられた光吸収体と、を備えている。【００１９】
（１３）本発明の第三の態様に係る窓ガラスは、ガラス基板と、前記ガラス基板の一面に互いに隣接して形成された複数の光透過性を有する突起部と、前記突起部同士の間に形成された空隙部と、を備え、前記ガラス基板の一面において前記突起部同士の間の領域に設けられた第２の突起部と、を備え、前記第２の突起部は、前記ガラス基板の一面に対して傾斜した傾斜面を有し、前記第２の突起部の高さは前記突起部の高さよりも小さい。【００２０】
（１４）上記（１１）から（１３）までのいずれか一項に記載の窓ガラスでは、前記突起部の前記ガラス基板側の端面の面積は、前記突起部の前記ガラス基板とは反対側の端面の面積よりも大きくてもよい。【００２１】
（１５）上記（１４）に記載の窓ガラスでは、前記複数の突起部には、側面の傾斜角度が、前記ガラス基板側から前記ガラス基板とは反対側にかけて、連続的または段階的に変化する複数の突起部が含まれていてもよい。【００２２】
（１６）上記（１４）又は（１５）に記載の係る窓ガラスでは、前記複数の突起部には、側面の傾斜角度が互いに異なる複数の突起部が含まれていてもよい。【００２３】
（１７）上記（１４）から（１６）までのいずれか一項に記載の窓ガラスでは、前記突起部は、直線状または曲線状に延在しており、前記突起部の前記延在方向と直交する断面における前記突起部の２つの側面は、いずれも側面の傾斜角度が、前記ガラス基板側から前記ガラス基板とは反対側にかけて、連続的または段階的に変化してもよい。【００２４】
（１８）本発明の第四の態様に係る窓ガラスは、ガラス基板と、前記ガラス基板の一面に互いに隣接して形成された複数の光透過性を有する突起部と、前記突起部同士の間に形成された空隙部と、を備え、前記複数の突起部には、側面の傾斜角度が、前記ガラス基板側から前記ガラス基板とは反対側にかけて、連続的または段階的に変化する複数の突起部が含まれている。【００２５】
（１９）本発明の第五の態様に係る窓ガラスは、ガラス基板と、前記ガラス基板の一面に互いに隣接して形成された複数の光透過性を有する突起部と、前記突起部同士の間に形成された空隙部と、を備え、前記複数の突起部には、側面の傾斜角度が互いに異なる複数の突起部が含まれている。【００２６】
（２０）上記（１４）から（１７）までのいずれか一項に記載の窓ガラスでは、前記複数の突起部には、互いに隣接する２つの前記突起部の一部が接している構成が含まれていてもよい。【００２７】
（２１）本発明の第一の態様に係るロールスクリーンは、採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である。【００２８】
（２２）本発明の第二の態様に係るロールスクリーンは、採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている。【００２９】
（２３）本発明の第三の態様に係るロールスクリーンは、採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい。【００３０】
（２４）上記（２１）から（２３）までのいずれか一項に記載のロールスクリーンでは、前記突起部の前記基材側の端面の面積は、前記突起部の前記基材とは反対側の端面の面積よりも大きくてもよい。【００３１】
（２５）上記（２４）に記載のロールスクリーンでは、前記複数の突起部には、側面の傾斜角度が、前記基材側から前記基材とは反対側にかけて、連続的または段階的に変化する複数の突起部が含まれていてもよい。【００３２】
（２６）上記（２４）又は（２５）に記載のロールスクリーンでは、前記複数の突起部には、側面の傾斜角度が互いに異なる複数の突起部が含まれていてもよい。【００３３】
（２７）上記（２４）から（２６）までのいずれか一項に記載のロールスクリーンでは、前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化してもよい。【００３４】
（２８）本発明の第四の態様に係るロールスクリーンは、採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている。【００３５】
（２９）本発明の第五の態様に係るロールスクリーンは、採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている。【００３６】
（３０）上記（２４）から（２７）までのいずれか一項に記載のロールスクリーンでは、前記複数の突起部には、互いに隣接する２つの前記突起部の一部が接している構成が含まれていてもよい。【００３７】
（３１）本発明の第一の態様に係る採光ルーバーは、互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である。【００３８】
（３２）本発明の第二の態様に係る採光ルーバーは、互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている。【００３９】
（３３）本発明の第三の態様に係る採光ルーバーは、互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい。【００４０】
（３４）上記（３１）から（３３）までのいずれか一項に記載の採光ルーバーでは、前記突起部の前記基材側の端面の面積は、前記突起部の前記基材とは反対側の端面の面積よりも大きくてもよい。【００４１】
（３５）上記（３４）に記載の採光ルーバーでは、前記複数の突起部には、側面の傾斜角度が、前記基材側から前記基材とは反対側にかけて、連続的または段階的に変化する複数の突起部が含まれていてもよい。【００４２】
（３６）上記（３４）又は（３５）に記載の係る採光ルーバーでは、前記複数の突起部には、側面の傾斜角度が互いに異なる複数の突起部が含まれていてもよい。【００４３】
（３７）上記（３４）から（３６）までのいずれか一項に記載の採光ルーバーでは、前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化してもよい。【００４４】
（３８）本発明の第四の態様に係る採光ルーバーは、互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている。【００４５】
（３９）本発明の第五の態様に係る採光ルーバーは、互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている。【００４６】
（４０）上記（３４）から（３７）までのいずれか一項に記載の採光ルーバーでは、前記複数の突起部には、互いに隣接する２つの前記突起部の一部が接している構成が含まれていてもよい。
【発明の効果】
【００４７】
本発明の一態様によれば、屋内に居る人に眩しさを感じさせることを抑制することが可能な採光フィルム、窓ガラス、ロールスクリーン及び採光ルーバーを提供することができる。
【図面の簡単な説明】
【００４８】
【図１】第１実施形態に係る採光フィルムの概略構成を示す斜視図である。
【図２】第１実施形態に係る採光フィルムの概略構成を示す断面図である。
【図３】部屋モデルの一例を示す図である。
【図４】入射角度及び射出角度の説明図である。
【図５】部屋モデルの比較例を示す図である。
【図６】比較例における射出光の向き及び射出光の分布を示す図である。
【図７】部屋モデルの改善例１を示す図である。
【図８】改善例１における射出光の向き及び射出光の分布を示す図である。
【図９】部屋モデルの改善例２を示す図である。
【図１０】改善例２における射出光の向き及び射出光の分布を示す図である。
【図１１】比較例に係る採光フィルムの概略構成を示す斜視図である。
【図１２】比較例に係る採光フィルムの概略構成を示す断面図である。
【図１３】比較例に係る採光フィルムを通過する光の進行方向を説明するための図である。
【図１４】比較例に係る採光フィルムにおける光の入射角度と射出角度との関係を示す図である。
【図１５】比較例に係る採光フィルムにおける光の入射角度と光束との関係を示す図である。
【図１６】グレア領域において光束が最大値となる入射角度付近で、突起部の非形成領域において、採光フィルムに入射した光の進行方向を説明するための図である。
【図１７】第１実施形態に係る採光フィルムの作用を説明するための図である。
【図１８】第２実施形態に係る採光フィルムの概略構成を示す断面図である。
【図１９】第３実施形態に係る採光フィルムの概略構成を示す断面図である。
【図２０】第３実施形態に係る採光フィルムを適用した部屋モデルを示す図である。
【図２１】第４実施形態に係る採光フィルムの概略構成を示す断面図である。
【図２２】第４実施形態に係る採光フィルムを適用した部屋モデルを示す図である。
【図２３】第５実施形態に係る採光フィルムの概略構成を示す断面図である。
【図２４】第５実施形態に係る採光フィルムを適用した部屋モデルを示す図である。
【図２５】第６実施形態に係る採光フィルムの概略構成を示す断面図である。
【図２６】第７実施形態に係る採光フィルムの概略構成を示す断面図である。
【図２７】（ａ）〜（ｃ）第８実施形態に係る採光フィルムの突起部と間隙部の平面形状のバリエーションを示す平面図である。
【図２８】第９実施形態に係る採光フィルムの部分平面図である。
【図２９】第１０実施形態に係る採光フィルムの部分平面図である。
【図３０】（ａ）〜（ｋ）第１１実施形態に係る採光フィルムの突起部の断面形状バリエーションを示す断面図である。
【図３１】（ａ）〜（ｄ）第１２実施形態に係る採光フィルムの利用形態のバリエーションを示す断面図である。
【図３２】第１３実施形態に係る窓ガラスの部分斜視図である。
【図３３】（ａ）、（ｂ）第１４実施形態に係るロールスクリーンの概略構成図である。
【図３４】（ａ）、（ｂ）第１５実施形態に係る採光ルーバーの部分斜視図である。
【図３５】採光ルーバーに用いられる採光フィルムの部分斜視図である。
【図３６】（ａ）、（ｂ）採光ルーバーの作用を説明するための図である。
【図３７】（ａ）、（ｂ）第１６実施形態に係る窓ガラスの概略構成図である。
【図３８】第１７実施形態に係る窓ガラスの断面図である。
【図３９】第１８実施形態に係る窓ガラスの断面図である。
【図４０】第１９実施形態に係る窓ガラスの断面図である。
【図４１】第２０実施形態に係る窓の断面図である。
【図４２】実施例の説明図である。
【図４３】第１実施形態に係る採光フィルムにおけるｓ／ｗと光束との関係を示す図である。
【発明を実施するための形態】
【００４９】
以下、図面を参照して、本発明の実施の形態について説明する。以下の図面においては、Ｘ方向を採光フィルムの基材の法線方向とし、Ｙ方向をＸ方向と直交する方向とし、Ｚ方向をＸ方向およびＹ方向と直交する方向とする。
【００５０】
[第１実施形態]
図１は、第１実施形態に係る採光フィルム１の概略構成を示す斜視図である。図２は、第１実施形態に係る採光フィルム１の概略構成を示す断面図である。
【００５１】
図１及び図２に示すように、採光フィルム１は、光透過性を有する基材１０と、基材１０の一面に互いに隣接して形成された複数の光透過性を有する突起部１１と、突起部１１同士の間に形成された空隙部１２と、複数の突起部１１を挟んで基材１０とは反対側に設けられた光透過性を有する保護部材１３と、を備えている。
【００５２】
尚、本実施形態では、複数の突起部１１を挟んで基材１０とは反対側に光透過性を有する保護部材１３が設けられているが、保護部材１３が設けられていなくてもよい。すなわち、少なくとも光透過性を有する基材１０が設けられていればよい。
【００５３】
基材１０としては、一般に、熱可塑性ポリマーや熱硬化性樹脂、光重合性樹脂などの樹脂類などが用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などからなる光透過性の基材を用いることができる。例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性の基材が好ましく用いられる。本実施形態では、一例として厚さが１００μｍのＰＥＴフィルムが用いられる。基材１０の全光線透過率は、ＪＩＳ  Ｋ７３６１−１の規定で９０％以上が好ましい。
これにより、十分な透明性を得ることができる。
【００５４】
突起部１１は、例えばアクリル樹脂やエポキシ樹脂、シリコーン樹脂等の光透過性および感光性を有する有機材料で構成されている。これら樹脂に重合開始剤、カップリング剤、モノマー、有機溶媒などを混合した透明樹脂製の混合物を用いることができる。さらに、重合開始剤は安定剤、禁止剤、可塑剤、蛍光増白剤、離型剤、連鎖移動剤、他の光重合性単量体等のような各種の追加成分を含んでいてもよい。その他、特許第４１２９９９１号記載の材料を用いることができる。突起部１１の全光線透過率は、ＪＩＳ  Ｋ７３６１−１の規定で９０％以上が好ましい。これにより、十分な透明性を得ることができる。
【００５５】
複数の突起部１１の各々は概ね一方向（Ｙ方向）に長手方向を有しており、前記一方向は、矩形形状を有する基材１０の１辺と平行な方向に配置されている。本実施形態の場合、複数の突起部１１の各々は、Ｙ方向に延びる一定幅のストライプ状の突起部として構成されている。複数の突起部１１の各々の長手方向は、矩形形状を有する基材１０の１辺と平行な方向に配置されている。複数の突起部１１の各々における突起部１１の幅方向と平行な断面（ＸＺ断面）の形状は台形又は三角形である。
【００５６】
突起部１１の短手方向の幅をｗ、突起部１１の基材１０の法線方向（Ｘ方向）の高さをｈとしたときに、複数の突起部１１の幅ｗ及び高さｈは、全て等しくなっている。例えば、突起部１１の幅ｗは、例えば１０μｍ〜５０μｍであり、突起部１１の高さｈは、例えば１０μｍ〜１００μｍである。
【００５７】
突起部１１の基材１０側の端面１１ｂと突起部１１の側面１１ｃ１とのなす角度を角度α１、突起部１１の基材１０側の端面１１ｂと突起部１１の側面１１ｃ２とのなす角度を角度α２としたときに、複数の突起部１１の角度α１及び角度α２は、全て等しくなっている。例えば、角度α１は例えば７０°〜８０°であり、角度α２は例えば７０°〜８０°である。
【００５８】
空隙部１２は、空気などがガスによって満たされており、その屈折率は概ね１となっている。空隙部１２の屈折率を１とすることで、空隙部１２と突起部１１との界面（突起部１１の側面１１ｃ２）における臨界角が最小となるように構成されている。本実施形態の場合、空隙部１２は、空気からなら空気層となっているが、空隙部１２は、窒素などの不活性ガスからなる不活性ガス層であってもよく、減圧状態とされた減圧層であってもよい。
【００５９】
採光フィルム１は、突起部１１の並び方向が鉛直方向となるように窓ガラスのガラス基板に貼り付けられる。採光フィルム１の上方から差し込んだ光のうち突起部１１の一端から突起部１１の内部に入射した光Ｌ０は、突起部１１の側面１１ｃ２で全反射され、再び採光フィルム１の上方に向けて射出される。突起部１１で反射された光は、屋内の天井や屋内の奥のほうまで導かれ、屋内を明るく照らす。
【００６０】
本実施形態では、突起部１１の基材１０とは反対側（保護部材１３側）の端面１１ａが光入射端面として構成されており、突起部１１の基材１０側の端面１１ｂが光射出端面として構成されている。
【００６１】
突起部１１の基材１０側の端面１１ｂの面積は、突起部１１の保護部材１３側の端面１１ａの面積よりも大きい。本実施形態では、複数の突起部１１において、互いに隣接する２つの突起部１１の基材１０側の端縁が接している。
【００６２】
尚、本実施形態では、複数の突起部１１において、互いに隣接する２つの突起部１１の基材１０側の端縁が接しているが、これに限らない。例えば、互いに隣接する２つの突起部１１の基材１０側の端面の一部が重なり合うように、互いに隣接する２つの突起部１１の基材１０側の端部が繋がっていてもよい。また、複数の突起部１１のすべてにおいて、互いに隣接する２つの突起部１１の一部が接していることに限定されない。例えば、複数の突起部１１のうちの一部の突起部１１において、互いに隣接する２つの突起部１１の一部が接していてもよい。すなわち、複数の突起部１１には、互いに隣接する２つの突起部１１の一部が接している構成が含まれていればよい。
【００６３】
本実施形態に係る採光フィルム１の製造方法は、例えば、フォト工程を用いる方法を採用することができる。尚、フォト工程を用いる方法以外にも、溶融押し出し法や型押し出し法などの方法によって、採光フィルム１を製造することができる。溶融押し出し法や型押し出し法などの方法では、基材１０と突起部１１は同一の樹脂によって一体に形成される。
【００６４】
以下、部屋モデルの一例について図３を用いて説明する。
【００６５】
図３は、部屋モデル１０００の一例を示す図である。図３において、符号１００１は比較例に係る採光フィルム、符号１００２は窓、符号１００３は部屋、符号１００３ａは天井、符号１００３ｂは太陽光が入射する側の壁、符号１００３ｃは床、符号１００３ｄは壁１００３ｂと対面の壁、符号１００４は椅子に座っている人、符号１００５は床１００３ｃに立っている人、である。
【００６６】
図３に示すように、部屋１００３はオフィスを例としており、部屋１００３の断面（ＸＺ断面）の形状は矩形である。部屋１００３の高さＨ３（床１００３ｃから天井１００３ａまでの高さ）は例えば２．７ｍである。窓１００２は、壁１００３ｂ側において天井１００３ａから例えば１．８ｍの部分に設けられている。窓１００２の高さＨ２は例えば１．８ｍである。採光フィルム１００１は、窓１００２の内面において、人間の視界を遮らない部分（天井１００３ａから例えば０．６ｍの部分）に設けられている。採光フィルム１００１の高さＨ１は例えば０．６ｍである。
【００６７】
部屋モデル１０００においては、壁１００３ｂから例えば１ｍ離れた所で人が動くことを想定している。窓付近の部分Ｄにおいては、人が居ないこととしている。窓付近の部分Ｄは例えば１ｍである。この窓付近の部分Ｄに基づいて、人が動く領域を想定している。
【００６８】
また、人の眼の位置は、床１００３ｃから例えば０．８ｍ〜１．８ｍを想定している。
床１００３ｃに立っている人１００５の眼の高さＨａは例えば１．８ｍである。椅子に座っている人１００４の眼の高さＨｂは例えば０．８ｍである。これらの眼の高さＨａ，Ｈｂに基づいて、前記人の眼の位置の範囲を想定している。
【００６９】
採光フィルム１００１は、外光を天井１００３ａに向けて進行させる機能を有する。天井１００３ａに向けて進行する光は、天井１００３ａで反射して室内を照射し、照明の代わりとなる。しかし実際には、採光フィルム１００１を通過した光は、天井１００３ａに向けて進行するだけではく、壁１００３ｄあるいは床１００３ｃに向けて進行する。このとき、採光フィルム１００１を通過した光には、屋内に居る人の眼の位置に向かうものも存在する。このような光は、屋内に居る人に眩しさを感じさせることとなる。部屋モデル１０００において、屋内に居る人に眩しさを感じさせる領域をグレア領域ＡＲとする。グレア領域ＡＲの範囲は、前記人の動く領域及び人の眼の位置に基づいて規定されている。
グレア領域ＡＲは、壁１００３ｂから例えば１ｍ離れた所において、床１００３ｃから例えば０．８ｍ〜１．８ｍの領域である。
【００７０】
次に、採光フィルム１００１に入射する光の入射角度と採光フィルム１００１から射出される光の射出角度の定義について図４を用いて説明する。
【００７１】
図４は、入射角度及び射出角度の説明図である。図４においては、便宜上、採光フィルム１００１の基材の図示を省略している。図４において、水平方向（Ｘ方向）と採光フィルム１００１に入射する光とのなす角度を入射角度θｉｎ、水平方向と採光フィルム１００１から射出される光とのなす角度を射出角度θｏｕｔとする。射出角度θｏｕｔは、採光フィルム１００１の中心（突起部と基材との界面の中心）を通る法線方向を０°として、水平方向よりも天井１００３ａを正（＋）、水平方向よりも床１００３ｃ側を負（−）の角度としている。すなわち、射出角度θｏｕｔは、反時計回りの角度を正、時計回りの角度を負としている。
【００７２】
次に、比較例として、グレア領域ＡＲを通過する光の光量が後述する閾値Ｅよりも大きい部屋モデルについて図５及び図６を用いて説明する。
【００７３】
図５は、部屋モデルの比較例を示す図である。図５においては、便宜上、窓の図示を省略し、比較例に係る採光フィルム１００１が窓の外面に設けられている。
図５に示すように、採光フィルム１００１を通過した光は、天井１００３ａに向けて進行するだけではく、壁１００３ｄあるいは床１００３ｃに向けて進行する。採光フィルム１００１を通過した光には、グレア領域ＡＲに向けて進行するものが存在する。
【００７４】
図６は、比較例における射出光の向き及び射出光の分布を示す図である。図６においては、便宜上、採光フィルムの図示を省略し、採光フィルムの中心を原点Ｏとして示している。図６において、採光フィルムからの射出光のうちグレア領域ＡＲに向けて進行する光の向きの範囲を範囲Ｖで示す。また、人が眩しさを感じる光量の下限値を閾値Ｅで示す。
【００７５】
眩しさの指標としては、空間グレア指標（ＵＧＲ）がある。例えば、オフィス環境において、眩しさの目安の上限ＵＧＲは２１である。そのため、閾値Ｅとしては、室内の観測者の位置において「ＵＧＲが２１となる輝度」となる値を採用することができる。
【００７６】
図６に示すように、比較例においては、採光フィルム１００１（図５参照）を通過した光の大部分が範囲Ｖに存在し、かつ、範囲Ｖに存在する光の光量が閾値Ｅを超えている。
そのため、比較例においては、採光フィルム１００１を通過した光が人の眼に入ると人が眩しさを感じる。
【００７７】
次に、改善例１として、グレア領域ＡＲを通過する光の光量が閾値Ｅよりも小さい部屋モデルについて図７及び図８を用いて説明する。
【００７８】
図７は、部屋モデルの改善例１を示す図である。図７においては、便宜上、窓の図示を省略し、改善例１に係る採光フィルム１００１Ａが窓の外面に設けられている。
図７に示すように、採光フィルム１００１Ａを通過した光は、天井１００３ａに向けて進行するだけではく、壁１００３ｄあるいは床１００３ｃに向けて進行する。採光フィルム１００１Ａを通過した光には、グレア領域ＡＲに向けて進行するものが存在する。しかし、改善例１においては、グレア領域ＡＲに向けて進行する光が少ない。
【００７９】
図８は、改善例１における射出光の向き及び射出光の分布を示す図である。図８においては、便宜上、採光フィルムの図示を省略し、採光フィルムの中心を原点Ｏとして示している。図８において、採光フィルムからの射出光のうちグレア領域ＡＲに向けて進行する光の範囲を範囲Ｖで示す。また、人が眩しさを感じる光量の下限値を閾値Ｅで示す。
【００８０】
図８に示すように、改善例１においては、採光フィルム１００１Ａ（図７参照）を通過した光のごく一部が範囲Ｖに存在し、かつ、範囲Ｖに存在する光の光量が閾値Ｅよりも小さい。そのため、改善例１においては、採光フィルム１００１Ａを通過した光が人の眼に入っても人が眩しさを感じない。すなわち、グレア領域ＡＲに向けて進行する光の光量を人が眩しさを感じない程度に抑えることができれば、グレア領域ＡＲに向けて進行する光の光量はゼロでなくてもよい。
【００８１】
次に、改善例２として、グレア領域ＡＲを通過する光の光量が閾値Ｅよりも小さい部屋モデルについて図９及び図１０を用いて説明する。
【００８２】
図９は、部屋モデルの改善例２を示す図である。図９においては、便宜上、窓の図示を省略し、改善例２に係る採光フィルム１００１Ｂが窓の外面に設けられている。
図９に示すように、採光フィルム１００１Ｂを通過した光は、天井１００３ａに向けて進行するだけではく、壁１００３ｄあるいは床１００３ｃに向けて進行する。採光フィルム１００１Ｂを通過した光には、グレア領域ＡＲに向けて進行するものが存在する。しかし、改善例２においては、グレア領域ＡＲに向けて進行する光が分散されている。
【００８３】
図１０は、改善例２における射出光の向き及び射出光の分布を示す図である。図１０においては、便宜上、採光フィルムの図示を省略し、採光フィルムの中心を原点Ｏとして示している。図１０において、採光フィルムからの射出光のうちグレア領域ＡＲに向けて進行する光の範囲を範囲Ｖで示す。また、人が眩しさを感じる光量の下限値を閾値Ｅで示す。
【００８４】
図１０に示すように、改善例２においては、採光フィルム１００１Ｂ（図９参照）を通過した光の大部分が範囲Ｖに存在しているものの、範囲Ｖに存在する光が分散されているため、範囲Ｖに存在する光の光量が閾値Ｅよりも小さい。そのため、改善例２においては、採光フィルム１００１Ｂを通過した光が人の眼に入っても人が眩しさを感じない。すなわち、グレア領域ＡＲに向けて進行する光を人が眩しさを感じない程度に分散させることができれば、グレア領域ＡＲに向けて進行する光が存在していてもよい。
【００８５】
次に、比較例に係る採光フィルム１００１の構成について図１１及び図１２を用いて説明する。
【００８６】
図１１は、比較例に係る採光フィルム１００１の概略構成を示す斜視図である。図１２は、比較例に係る採光フィルム１００１の概略構成を示す断面図である。
【００８７】
図１１及び図１２に示すように、比較例に係る採光フィルム１００１の構成は、第１実施形態に係る採光フィルム１の構成と基本的に同じである。しかし、比較例では、複数の突起部１１において、互いに隣接する２つの突起部１１の基材１０側の端縁が離間している。すなわち、基材１０の一面において突起部１１の形成領域以外の領域（突起部１１の非形成領域）には、基材１０が露出している。
【００８８】
互いに隣接する２つの突起部１１の基材１０側の端縁の間隔をｓ、突起部１１の配列方向（Ｚ方向）のピッチをｐとしたときに、複数の突起部１１の間隔ｓ及びピッチｐはすべて等しくなっている。例えば、間隔ｓは、例えば５μｍ〜１０μｍである。また、複数の突起部１１において、間隔ｓと突起部１１の幅ｗとの比ｓ／ｗは、例えば０．１２５程度である（ｓ／ｗ＞０．１）。
【００８９】
ところで、採光フィルムから射出された光の射出方向は、採光フィルムに入射する光の入射位置及び入射角度θｉｎによって決まる。
次に、採光フィルムの上方から光が差し込む場合における、採光フィルムに入射する光の入射位置と採光フィルムから射出された光の射出方向との関係について図１３を用いて説明する。
【００９０】
図１３は、比較例に係る採光フィルム１００１を通過する光の進行方向を説明するための図である。
【００９１】
図１３に示すように、採光フィルム１００１の上方から差し込んだ光のうち、入射位置Ｋ０において、突起部１１の端面１１ａから突起部１１の内部に入射した光Ｌ０は、突起部１１の側面１１ｃ２（突起部１１と空隙部１２との界面）で全反射され、再び採光フィルム１００１の上方に向けて射出される。突起部１１の側面１１ｃ２で反射された光Ｌ０は、屋内の天井や屋内の奥のほうまで導かれ、屋内を明るく照らす。
【００９２】
採光フィルム１００１の上方から差し込んだ光のうち、入射位置Ｋ１において、突起部１１の非形成領域に入射した光Ｌ１は、突起部１１の側面１１ｃ１に入射する。突起部１１の側面１１ｃ１に入射した光Ｌ１は、側面１１ｃ１で反射されることなく突起部１１を透過し、基材１０の他面（基材１０と空気との界面）で全反射され、採光フィルム１００１の下方に射出される。基材１０の他面で反射された光Ｌ１は、屋外に向けて進行する。
【００９３】
採光フィルム１００１の上方から差し込んだ光のうち、入射位置Ｋ２において、突起部１１の非形成領域に入射した光Ｌ２は、突起部１１の側面１１ｃ１に入射する。突起部１１の側面１１ｃ１に入射した光Ｌ２は、側面１１ｃ１で反射されることなく突起部１１を透過し、採光フィルム１００１の下方に射出される。突起部１１を透過した光Ｌ２は、グレア領域ＡＲに向けて進行する場合がある。
【００９４】
次に、採光フィルムの上方から光が差し込む場合における、採光フィルムに入射する光の入射角度θｉｎと採光フィルムから射出された光の射出方向との関係について図１４を用いて説明する。
【００９５】
図１４は、比較例に係る採光フィルム１００１における光の入射角度θｉｎと射出角度θｏｕｔとの関係を示す図である。図１４において、横軸は入射角度θｉｎ（°）、縦軸は射出角度θｏｕｔ（°）である。また、プロットＩは突起部１１に入射した光が突起部１１の側面１１ｃ２で全反射した場合、プロットIIは突起部１１の非形成領域に入射した光が突起部１１の側面１１ｃ２で全反射した場合、プロットIIIは突起部１１の非形成領域に入射した光が突起部１１の側面１１ｃ１で全反射した場合、プロットIVは突起部１１の非形成領域に入射した光が突起部１１の側面１１ｃ１，１１ｃ２又は端面１１ｂで屈折した場合、プロットVは突起部１１に入射した光が角度を変えずにそのまま透過した場合、プロットVIは突起部１１の非形成領域に入射した光が角度を変えずにそのまま透過した場合、をそれぞれ示している。尚、図１４は、突起部１１の幅ｗを２３μｍ、突起部１１の間隔ｓを７μｍ、突起部１１の高さｈを２０μｍ、突起部１１の角度α１及びα２をそれぞれ７６°、突起部１１の屈折率及び基材１０の屈折率をそれぞれ１．４９として行ったシミュレーション結果に基づいて作成されている。
【００９６】
図１４に示すように、採光フィルム１００１から射出された光の射出角度θｏｕｔは、採光フィルム１００１に入射する光の入射角度θｉｎに大きく依存することが分かる。また、突起部１１に入射した光の射出方向と、突起部１１の非形成領域に入射した光の射出方向とは互いに異なっている。
【００９７】
次に、採光フィルムの上方から光が差し込む場合における、採光フィルムに入射する光の入射角度θｉｎと採光フィルムから射出された光の光束との関係について図１５を用いて説明する。
【００９８】
図１５は、比較例に係る採光フィルム１００１における光の入射角度θｉｎと光束との関係を示す図である。図１５において、横軸は入射角度θｉｎ（°）、縦軸は光束（×１０３ｌｍ）である。また、曲線Ｃｖ１は採光フィルム１００１の上方から差し込んだ光のうち天井１００３ａに向けて進行する光の光束、曲線Ｃｖ２は採光フィルム１００１の上方から差し込んだ光のうちグレア領域ＡＲに向けて進行する光の光束、をそれぞれ示している。尚、図１５は、突起部１１の幅ｗを３０μｍ、突起部１１の間隔ｓを５μｍ、突起部１１の高さｈを４０μｍ、突起部１１の角度α１を７０°、突起部１１の角度α２を８０°、突起部１１の屈折率及び基材１０の屈折率をそれぞれ１．４９として行ったシミュレーション結果に基づいて作成されている。
【００９９】
図１５に示すように、天井１００３ａに向けて進行する光の光束は、入射角度θｉｎが４６°になるまでは２００×１０３ｌｍ以上の値を維持している。しかし、入射角度θｉｎが４６°を超えると光束が急峻に低下し、入射角度θｉｎが５６°を超えると光束が５０×１０３ｌｍを下回る。
【０１００】
一方、グレア領域ＡＲに向けて進行する光の光束は、入射角度θｉｎが５０°になるまでは２０×１０３ｌｍ以下の値を維持している。しかし、入射角度θｉｎが５０°を超えると光束が急峻に増加し、入射角度θｉｎが５４°で光束が最大値となる。そして、入射角度θｉｎが５４°を超えると光束が急峻に低下し、入射角度θｉｎが６０°を超えると光束が２０×１０３ｌｍを下回る。
【０１０１】
次に、グレア領域ＡＲにおいて光束が最大値となる入射角度θｉｎ付近の入射角度で、突起部１１の非形成領域において、採光フィルムに入射する光の入射角度θｉｎと採光フィルムから射出された光の射出方向との関係について図１６を用いて説明する。
【０１０２】
図１６は、グレア領域ＡＲにおいて光束が最大値となる入射角度θｉｎ付近の入射角度（５０°〜６０°）で、突起部１１の非形成領域において、採光フィルム１００１に入射した光の進行方向を説明するための図である。図１６において、採光フィルム１００１に対し、入射角度θｉｎが５０°で入射する光をＬａ、入射角度θｉｎが５４°で入射する光をＬｂ、入射角度θｉｎが６０°で入射する光をＬｃ、で示している。
【０１０３】
図１６に示すように、入射角度θｉｎが５０°で、突起部１１の非形成領域において、採光フィルム１００１に入射した光Ｌａは、突起部１１の側面１１ｃ１に入射する。突起部１１の側面１１ｃ１に入射した光Ｌａは、側面１１ｃ１で反射されることなく突起部１１を透過し、突起部１１の側面１１ｃ２（突起部１１と空隙部１２との界面）で全反射され、再び採光フィルム１００１の上方に向けて射出される。突起部１１の側面１１ｃ２で反射された光Ｌａは、屋内の天井や屋内の奥のほうまで導かれ、屋内を明るく照らす。
【０１０４】
入射角度θｉｎが５４°で、突起部１１の非形成領域において、採光フィルム１００１に入射した光Ｌｂは、突起部１１の側面１１ｃ１に入射する。突起部１１の側面１１ｃ１に入射した光Ｌｂは、側面１１ｃ１で反射されることなく突起部１１を透過し、突起部１１の側面１１ｃ２で屈折し、隣り合う２つの突起部１１の間を抜け、採光フィルム１００１の下方に射出される。突起部１１を透過した光Ｌ２は、グレア領域ＡＲに向けて進行する場合がある。
【０１０５】
入射角度θｉｎが６０°で、突起部１１の非形成領域において、採光フィルム１００１に入射した光Ｌｃは、突起部１１の側面１１ｃ１に入射する。突起部１１の側面１１ｃ１に入射した光Ｌｃは、側面１１ｃ１で反射されることなく突起部１１を透過し、突起部１１の側面１１ｃ２で屈折し、隣り合う２つの突起部１１の間を抜け、基材１０の他面（基材１０と空気との界面）で全反射され、採光フィルム１００１の下方に射出される。基材１０の他面で反射された光Ｌｃは、屋外に向けて進行する。
【０１０６】
本発明者は鋭意研究の結果、グレア領域ＡＲに向けて進行する光の光束を低下させるには、採光フィルム１００１において、入射角度θｉｎが５４°付近で突起部１１の非形成領域に入射する光のうち、隣り合う２つの突起部１１の間から抜ける光の光束を低下させればよいことを見出した。そこで、本実施形態に係る採光フィルム１では、複数の突起部１１において、互いに隣接する２つの突起部１１の基材１０側の端縁が接している構成を採用している（図１及び図２参照）。
以下、本実施形態に係る採光フィルム１の作用について図１７を用いて説明する。
【０１０７】
図１７は、本実施形態に係る採光フィルム１の作用を説明するための図である。
図１７に示すように、入射角度θｉｎが５４°で、突起部１１の非形成領域において、採光フィルム１に入射した光Ｌｂは、突起部１１の側面１１ｃ１に入射する。突起部１１の側面１１ｃ１に入射した光Ｌｂは、側面１１ｃ１で反射されることなく突起部１１を透過し、突起部１１の側面１１ｃ２で屈折する。本実施形態では、複数の突起部１１において互いに隣接する２つの突起部１１の基材１０側の端縁が接しているため、突起部１１の側面１１ｃ２で屈折した光Ｌｂは、隣り合う２つの突起部１１の間を抜けることなく、透過した突起部１１と隣り合う突起部１１の側面１１ｃ１に入射する。当該突起部１１の側面１１ｃ１に入射した光Ｌｂは、当該突起部１１を透過し、基材１０の他面（基材１０と空気との界面）で全反射され、採光フィルム１の下方に射出される。基材１０の他面で反射された光Ｌｂは、屋外に向けて進行する。
【０１０８】
このように本実施形態に係る採光フィルム１によれば、複数の突起部１１において互いに隣接する２つの突起部１１の基材１０側の端縁が接しているため、採光フィルム１の上方から入射した光が隣り合う２つの突起部１１の間を抜けてグレア領域ＡＲに向けて進行することを抑制することができる。これにより、屋内に居る人に眩しさを感じさせることを抑制することができる。
【０１０９】
また、この構成においては、保護部材１３によって突起部１１の上部が覆われる。そのため、空隙部１２に汚れが付着し、採光フィルム１の性能が劣化することが抑制される。
【０１１０】
尚、本実施形態では、基材１０および突起部１１として、無色透明の部材が用いられるが、基材１０や突起部１１の色はこれに限定されない。例えば、屋内に取り込む光の色温度を調整するために、基材１０や突起部１１の色が薄い黄色やオレンジ、ブルーなどで着色されていてもよい。また、デザイン性などを考慮して、基材１０および突起部１１の一部若しくは全部が赤色や青色などに着色されていてもよい。これにより、ステンドグラスなどへの応用が可能となる。ただし、この場合でも、窓としての用途を満たすために、向こう側が透けて見える程度の可視光透過率は必要である。基材１０および突起部１１は、光透過性を有する部材として構成されているが、本明細書において「光透過性を有する」とは、少なくとも向こう側が透けて見える程度の可視光透過率を有することを意味する。
【０１１１】
また、本実施形態では、突起部１１は一定幅のストライプ状の突起部として構成されているが、突起部１１の形状はこれに限られない。複数の突起部１１の各々が概ね一方向に長手方向を有しており、前記一方向が、矩形形状を有する基材１０の１辺と平行な方向に配置されていれば、本実施形態と同様の作用効果が得られる。ここで、「複数の突起部の各々が概ね一方向に長手方向を有している」とは、例えば、次のようなことをいう。すなわち、保護部材１３の側（基材１０の突起部１１が形成された側）から基材１０の内部に蛍光のような等方的に拡散する光を入射させ、複数の突起部１１の外部に射出される光の極角輝度分布を測定する。このとき、複数の突起部１１から射出される光の輝度が相対的に強い方向と相対的に弱い方向とが存在する場合に、「突起部が概ね一方向に長手方向を有している」という。輝度が相対的に強い方向と直交する方向は、前記「一方向」として規定される。
【０１１２】
また、本実施形態では、複数の突起部１１において、互いに隣接する２つの突起部１１の基材１０側の端縁が接している例を挙げて説明したが、これに限らない。複数の突起部１１において、互いに隣接する２つの突起部１１の間隔ｓと突起部１１の幅ｗとの比ｓ／ｗが０．１以下であってもよい。以下、図４３を用いて説明する。
【０１１３】
図４３は、第１実施形態に係る採光フィルム１におけるｓ／ｗと光束との関係を示す図である。図４３において、横軸は複数の突起部１１において、互いに隣接する２つの突起部１１の間隔ｓと突起部１１の幅ｗとの比ｓ／ｗ、縦軸は光束（×１０３ｌｍ）である。
尚、縦軸は、入射角度θｉｎが５４°で採光フィルム１に入射した光のうちグレア領域ＡＲに向けて進行する光の光束である。図４３は、太陽光の照度を１１万ルクスとしたときの計算結果である。
【０１１４】
図４３に示すように、比ｓ／ｗが０．１を超えると、グレア領域ＡＲに向けて進行する光の光束が徐々に増加し、比ｓ／ｗが０．２２５で光束が３００×１０３ｌｍを上回る。
これに対し、比ｓ／ｗが０．１以下であると、グレア領域ＡＲに向けて進行する光の光束は一定となり、光束が３０×１０３ｌｍを下回る。従って、比ｓ／ｗが０．１以下であることにより、グレア領域ＡＲに向けて進行する光の光束を低減することができる。
【０１１５】
[第２実施形態]
図１８は、第２実施形態に係る採光フィルム２の概略構成を示す断面図である。
尚、本実施形態において第１実施形態と共通する構成要素については、同じ符号を付し、詳細な説明は省略する。
【０１１６】
本実施形態において第１実施形態と異なる点は、複数の突起部１１において、互いに隣接する２つの突起部１１の基材１０側の端縁が離間している点、すなわち基材１０の一面において突起部１１の形成領域以外の領域（突起部１１の非形成領域）には、基材１０が露出している点である。さらに、基材１０の一面において突起部１１同士の間の領域に光吸収体１４が設けられている点である。
【０１１７】
本実施形態において、複数の突起部１１の間隔ｓは一定でもよいし、不規則であってもよい。ただし、複数の突起部１１が不規則な間隔で互いに隣接して配置されることにより、複数の突起部１１が規則的に形成された場合に生じる干渉縞の発生を抑制することができる。
【０１１８】
光吸収体１４としては、例えばブラックレジスト等の光吸収性及び感光性を有する黒色樹脂（樹脂材料）、黒色インク等の有機材料、顔料、色素など透過率が２％〜３％の材料を用いることができる。尚、これらの他にも、可視光を吸収可能な材料であれば、種々の材料を用いることができる。また、透過率は、光吸収体１４の吸収材料の濃度を調整したり、光吸収体１４の厚みや面積を調整したりすることによって制御することができる。
【０１１９】
以下、本実施形態に係る採光フィルム２の作用について図１８を用いて説明する。
図１８に示すように、入射角度θｉｎが５４°で、突起部１１の非形成領域において、採光フィルム２に入射した光Ｌｂは、突起部１１の側面１１ｃ１に入射する。突起部１１の側面１１ｃ１に入射した光Ｌｂは、側面１１ｃ１で反射されることなく突起部１１を透過し、突起部１１の側面１１ｃ２で屈折する。本実施形態では、基材１０の一面において突起部１１同士の間の領域には光吸収体１４が設けられているため、突起部１１の側面１１ｃ２で屈折した光Ｌｂは、隣り合う２つの突起部１１の間を抜けることなく光吸収体１４によって吸収される。
【０１２０】
このように本実施形態に係る採光フィルム２によれば、基材１０の一面において突起部１１同士の間の領域には光吸収体１４が設けられているため、採光フィルム２の上方から入射した光が隣り合う２つの突起部１１の間を抜けてグレア領域ＡＲに向けて進行することを抑制することができる。これにより、屋内に居る人に眩しさを感じさせることを抑制することができる。
【０１２１】
[第３実施形態]
図１９は、第３実施形態に係る採光フィルム３の概略構成を示す断面図である。
尚、本実施形態において第２実施形態と共通する構成要素については、同じ符号を付し、詳細な説明は省略する。
【０１２２】
本実施形態において第２実施形態と異なる点は、光吸収体１４に替えて、基材１０の一面において突起部１１同士の間の領域に第２の突起部１５が設けられている点である。
【０１２３】
第２の突起部１５の概ね一方向（Ｙ方向）に長手方向を有しており、前記一方向は、矩形形状を有する基材１０の１辺と平行な方向に配置されている。本実施形態の場合、第２の突起部１５は、Ｙ方向に延びる一定幅のストライプ状の突起部として構成されている。
第２の突起部１５の長手方向は、矩形形状を有する基材１０の１辺と平行な方向に配置されている。第２の突起部１５の断面（ＸＺ断面）の形状は三角形である。第２の突起部１５は、基材１０の一面に対して傾斜した傾斜面１５ｂを有する。
【０１２４】
第２の突起部１５の短手方向（Ｚ方向）の幅をｗ２、第２の突起部１５の基材１０の法線方向（Ｘ方向）の高さをｈ２としたときに、第２の突起部１５の幅ｗ２は複数の突起部１１の間隔ｓよりも小さく、第２の突起部１５の高さｈ２は突起部１１の高さｈよりも小さい。
【０１２５】
第２の突起部１５の基材１０側の端面１５ｃと第２の突起部１５の側面１５ａとのなす角度を角度γ１、第２の突起部１５の基材１０側の端面１５ｃと第２の突起部１５の側面１５ｂ（傾斜面）のなす角度を角度γ２としたときに、第２の突起部１５の角度γ１は第２の突起部１５の角度γ２よりも大きい。例えば、角度γ１は例えば７０°〜１００°であり、角度γ２は例えば１０°〜３０°である。
【０１２６】
第２の突起部１５としては、例えば突起部１１と同様の材料を用いることができる。第２の突起部１５の屈折率は、突起部１１や基材１０の屈折率と同等あるいはそれよりも大きい。例えば、第２の突起部１５の屈折率は１．５程度である。
【０１２７】
以下、本実施形態に係る採光フィルム３の作用について図１９及び図２０を用いて説明する。
図１９に示すように、入射角度θｉｎが５４°で、突起部１１の非形成領域において、採光フィルム３に入射した光Ｌｂは、突起部１１の側面１１ｃ１に入射する。突起部１１の側面１１ｃ１に入射した光Ｌｂは、側面１１ｃ１で反射されることなく突起部１１を透過し、突起部１１の側面１１ｃ２で屈折する。本実施形態では、基材１０の一面において突起部１１同士の間の領域には第２の突起部１５が設けられているため、突起部１１の側面１１ｃ２で屈折した光Ｌｂは、第２の突起部１５に入射する。第２の突起部１５に入射した光Ｌｂは、第２の突起部１５の傾斜面１５ｂで屈折し、基材１０の他面（基材１０と空気との界面）で屈折して、採光フィルム３の下方に射出される。
【０１２８】
図２０は、第３実施形態に係る採光フィルム３を適用した部屋モデルを示す図である。
図２０においては、便宜上、窓の図示を省略し、第３実施形態に係る採光フィルム３が窓の外面に設けられている。
【０１２９】
図２０に示すように、第２の突起部１５の傾斜面１５ｂ（図１９参照）で屈折した光Ｌｂは、窓付近の部分Ｄに向けて進行する。
【０１３０】
このように本実施形態に係る採光フィルム３によれば、基材１０の一面において突起部１１同士の間の領域には第２の突起部１５が設けられているため、採光フィルム３の上方から入射した光が隣り合う２つの突起部１１の間を抜けてグレア領域ＡＲに向けて進行することを抑制することができる。これにより、屋内に居る人に眩しさを感じさせることを抑制することができる。
【０１３１】
[第４実施形態]
図２１は、第４実施形態に係る採光フィルム４の概略構成を示す断面図である。
尚、本実施形態において第３実施形態と共通する構成要素については、同じ符号を付し、詳細な説明は省略する。
【０１３２】
本実施形態において第３実施形態と異なる点は、第２の突起部１５に替えて、基材１０の一面において突起部１１同士の間の領域に第２の突起部１６が設けられている点である。第３実施形態に係る第２の突起部１５は採光フィルム３の上方から入射した光を窓付近の部分Ｄに向けて進行させる機能を有していたが、本実施形態に係る第２の突起部１６は採光フィルム４の上方から入射した光を天井に向けて進行させる機能を有する。
【０１３３】
第２の突起部１６の基材１０側の端面１６ｃと第２の突起部１６の側面１６ａとのなす角度を角度γ１１、第２の突起部１６の基材１０側の端面１６ｃと第２の突起部１６の側面１６ｂ（傾斜面）のなす角度を角度γ２１としたときに、第２の突起部１６の角度γ１１は第２の突起部１６の角度γ２１よりも大きい。また、第２の突起部１６の角度γ１１は第２の突起部１５の角度γ１よりも小さく、かつ、第２の突起部１６の角度γ２１は第２の突起部１５の角度γ２よりも大きい。例えば、角度γ１１は例えば７０°〜９０°であり、角度γ２１は例えば３０°〜５０°である。
【０１３４】
以下、本実施形態に係る採光フィルム４の作用について図２１及び図２２を用いて説明する。
図２１に示すように、入射角度θｉｎが５４°で、突起部１１の非形成領域において、採光フィルム４に入射した光Ｌｂは、突起部１１の側面１１ｃ１に入射する。突起部１１の側面１１ｃ１に入射した光Ｌｂは、側面１１ｃ１で反射されることなく突起部１１を透過し、突起部１１の側面１１ｃ２で屈折する。本実施形態では、基材１０の一面において突起部１１同士の間の領域には第２の突起部１６が設けられているため、突起部１１の側面１１ｃ２で屈折した光Ｌｂは、第２の突起部１６に入射する。第２の突起部１６に入射した光Ｌｂは、第２の突起部１５の傾斜面１６ｂで屈折し、基材１０の他面（基材１０と空気との界面）で屈折して、採光フィルム４の上方に射出される。
【０１３５】
図２２は、第４実施形態に係る採光フィルム４を適用した部屋モデルを示す図である。
図２２においては、便宜上、窓の図示を省略し、第４実施形態に係る採光フィルム４が窓の外面に設けられている。
【０１３６】
図２２に示すように、第２の突起部１６の傾斜面１６ｂ（図２１参照）で屈折した光Ｌｂは、グレア領域ＡＲには向かわずに、天井１００３ａに向けて進行する。
【０１３７】
このように本実施形態に係る採光フィルム４によれば、基材１０の一面において突起部１１同士の間の領域には第２の突起部１６が設けられているため、採光フィルム４の上方から入射した光が隣り合う２つの突起部１１の間を抜けてグレア領域ＡＲに向けて進行することを抑制することができる。これにより、屋内に居る人に眩しさを感じさせることを抑制することができる。
【０１３８】
[第５実施形態]
図２３は、第５実施形態に係る採光フィルム５の概略構成を示す断面図である。
尚、本実施形態において第３実施形態と共通する構成要素については、同じ符号を付し、詳細な説明は省略する。
【０１３９】
本実施形態において第３実施形態と異なる点は、第２の突起部１５に替えて、基材１０の一面において突起部１１同士の間の領域に第２の突起部１７が設けられている点である。第３実施形態に係る第２の突起部１５は採光フィルム３の上方から入射した光を傾斜面１５ｂで屈折させる構成を有していたが、本実施形態に係る第２の突起部１７は採光フィルム５の上方から入射した光を傾斜面１７ａで屈折させる構成を有する。
【０１４０】
第２の突起部１７の基材１０側の端面１７ｃと第２の突起部１７の側面１７ａ（傾斜面）とのなす角度を角度γ１２、第２の突起部１７の基材１０側の端面１７ｃと第２の突起部１７の側面１７ｂのなす角度を角度γ２２としたときに、第２の突起部１７の角度γ１２と第２の突起部１７の角度γ２２とは互いに等しい。また、第２の突起部１７の角度γ１２は第２の突起部１５の角度γ１よりも小さく、かつ、第２の突起部１７の角度γ２２は第２の突起部１５の角度γ２よりも大きい。例えば、角度γ１２及び角度γ２２のそれぞれは例えば５０°〜８０°である。
【０１４１】
以下、本実施形態に係る採光フィルム５の作用について図２３及び図２４を用いて説明する。
図２３に示すように、入射角度θｉｎが５４°で、突起部１１の非形成領域において、採光フィルム５に入射した光Ｌｂは、突起部１１の側面１１ｃ１に入射する。突起部１１の側面１１ｃ１に入射した光Ｌｂは、側面１１ｃ１で反射されることなく突起部１１を透過し、突起部１１の側面１１ｃ２で屈折する。本実施形態では、基材１０の一面において突起部１１同士の間の領域には第２の突起部１７が設けられているため、突起部１１の側面１１ｃ２で屈折した光Ｌｂは、第２の突起部１７に入射する。第２の突起部１５に入射した光Ｌｂは、第２の突起部１５の傾斜面１７ａで屈折し、基材１０の他面（基材１０と空気との界面）で屈折して、採光フィルム５の下方に射出される。
【０１４２】
図２４は、第５実施形態に係る採光フィルム５を適用した部屋モデルを示す図である。
図２４においては、便宜上、窓の図示を省略し、第５実施形態に係る採光フィルム５が窓の外面に設けられている。
【０１４３】
図２４に示すように、第２の突起部１７の傾斜面１７ａ（図２３参照）で屈折した光Ｌｂは、窓付近の部分Ｄに向けて進行する。
【０１４４】
このように本実施形態に係る採光フィルム５によれば、基材１０の一面において突起部１１同士の間の領域には第２の突起部１７が設けられているため、採光フィルム５の上方から入射した光が隣り合う２つの突起部１１の間を抜けてグレア領域ＡＲに向けて進行することを抑制することができる。これにより、屋内に居る人に眩しさを感じさせることを抑制することができる。
【０１４５】
尚、上記第３実施形態から第５実施形態では、第２の突起部の断面形状が三角形である例を挙げて説明したが、これに限らない。第２の突起部は、基材１０の一面に対して傾斜した傾斜面を有していればよく、例えば、第２の突起部の断面形状は、四角形以上の多角形であったり不定形であったりしてもよい。第２の突起部は、採光フィルムの上方から入射した光を天井１００３ａや窓付近の部分Ｄなどグレア領域ＡＲ以外の領域に向けて進行させる機能を有していればよい。
【０１４６】
[第６実施形態]
図２５は、第６実施形態に係る採光フィルム６の概略構成を示す断面図である。
尚、本実施形態において第１実施形態と共通する構成要素については、同じ符号を付し、詳細な説明は省略する。
【０１４７】
本実施形態において第１実施形態と異なる点は、複数の突起部６１において、互いに隣接する２つの突起部６１の基材１０側の端縁が離間している点、すなわち基材１０の一面において突起部６１の形成領域以外の領域（突起部６１の非形成領域）には、基材１０が露出している点である。さらに、複数の突起部６１は、側面６１ｃ２の傾斜角度が、基材１０側から基材１０とは反対側にかけて、段階的に変化している点である。
【０１４８】
本実施形態において、複数の突起部６１の間隔ｓは一定でもよいし、不規則であってもよい。ただし、複数の突起部６１が不規則な間隔で互いに隣接して配置されることにより、複数の突起部６１が規則的に形成された場合に生じる干渉縞の発生を抑制することができる。
【０１４９】
突起部６１の側面６１ｃ２は、複数（例えば本実施形態では３つ）の異なる傾斜角度を有している。突起部６１の側面６１ｃ２の断面形状は折れ線状の傾斜面である。本実施形態に係る突起部６１の側面６１ｃ２は、傾斜角度の異なる３つの傾斜面６１ｃ２０，６１ｃ２１，６１ｃ２２を有する。
【０１５０】
突起部６１の基材１０側の端面６１ｂと突起部６１の傾斜面６１ｃ２０とのなす角度を角度α２０、突起部６１の基材１０側の端面６１ｂと突起部６１の傾斜面６１ｃ２１とのなす角度を角度α２１、突起部６１の基材１０側の端面６１ｂと突起部６１の傾斜面６１ｃ２２とのなす角度をα２２としたときに、突起部６１の角度α２１は突起部６１の角度α２０よりも小さく、かつ、突起部６１の角度α２２は突起部６１の角度α２１よりも小さい（α２０＞α２１＞α２２）。例えば、角度α２０は例えば８０°〜８５°であり、角度α２１は例えば７５°〜８０°であり、角度α２２は例えば７０°〜７５°である。
【０１５１】
以下、本実施形態に係る採光フィルム６の作用について図２５を用いて説明する。
図２５に示すように、入射角度θｉｎが５４°で、突起部６１の非形成領域において、採光フィルム６に入射した光Ｌｂは、突起部６１の側面６１ｃ１に入射する。突起部６１の側面６１ｃ１に入射した光Ｌｂは、側面６１ｃ１で反射されることなく突起部６１を透過し、突起部６１の側面６１ｃ２で屈折する。突起部６１の側面６１ｃ２のうち傾斜面６１ｃ２０で屈折した光Ｌｂ０は、隣り合う２つの突起部６１の間を抜け、採光フィルム６の下方に射出される。突起部６１を透過した光Ｌｂ０は、グレア領域ＡＲの方向Ｖｏｕｔのうち方向Ｖｏｕｔ０に向けて進行する。
【０１５２】
同様に、突起部６１の側面６１ｃ２のうち傾斜面６１ｃ２１で屈折した光Ｌｂ１は、隣り合う２つの突起部６１の間を抜け、採光フィルム６の下方に射出される。突起部６１を透過した光Ｌｂ１は、グレア領域ＡＲの方向Ｖｏｕｔのうち方向Ｖｏｕｔ１に向けて進行する。また、突起部６１の側面６１ｃ２のうち傾斜面６１ｃ２２で屈折した光Ｌｂ２は、隣り合う２つの突起部６１の間を抜け、採光フィルム６の下方に射出される。突起部６１を透過した光Ｌｂ２は、グレア領域ＡＲの方向Ｖｏｕｔのうち方向Ｖｏｕｔ２に向けて進行する。
【０１５３】
突起部６１の側面６１ｃ２で屈折した光は、いずれもグレア領域ＡＲの方向Ｖｏｕｔに向けて進行する。しかし、傾斜角度の異なる３つの傾斜面６１ｃ２０，６１ｃ２１，６１ｃ２２でそれぞれ屈折した光は、それぞれ互いに異なる方向Ｖｏｕｔ０，Ｖｏｕｔ１，Ｖｏｕｔ２に向けて進行する。すなわち、突起部６１の側面６１ｃ２で屈折した光は、グレア領域ＡＲの特定方向に集中して進行することはなく、分散されて互いに異なる方向に向けて進行する。
【０１５４】
このように本実施形態に係る採光フィルム６によれば、突起部６１の側面６１ｃ２が傾斜角度の異なる３つの傾斜面６１ｃ２０，６１ｃ２１，６１ｃ２２を有するため、採光フィルム６の上方から入射してグレア領域ＡＲに向けて進行する光を分散させることができる。従って、グレア領域ＡＲに向けて進行する光を人が眩しさを感じない程度に分散させることにより、屋内に居る人に眩しさを感じさせることを抑制することができる。
【０１５５】
尚、本実施形態では、突起部６１の側面６１ｃ２の傾斜角度が基材１０側から基材１０とは反対側にかけて段階的に変化しており、突起部６１の側面６１ｃ２の断面形状が折れ線状の傾斜面である例を挙げて説明したが、これに限らない。例えば、突起部の側面の傾斜角度が基材１０側から基材１０とは反対側にかけて連続的に変化しており、突起部の側面の断面形状が曲線状の傾斜面であってもよい。
【０１５６】
また、本実施形態では、突起部６１の側面６１ｃ２が傾斜角度の異なる３つの傾斜面６１ｃ２０，６１ｃ２１，６１ｃ２２を有する例を挙げて説明したが、これに限らない。例えば、突起部の側面が傾斜角度の異なる２つの傾斜面又は４つ以上の複数の傾斜面を有していてもよい。
【０１５７】
また、本実施形態では、突起部６１の側面６１ｃ２の傾斜角度が基材１０側から基材１０とは反対側にかけて段階的に変化している例を挙げて説明したが、これに限らない。例えば、突起部６１の側面６１ｃ１の傾斜角度が基材１０側から基材１０とは反対側にかけて段階的に変化していたり連続的に変化していたりしてもよい。また、突起部６１の側面６１ｃ１及び側面６１ｃ２の双方の側面の傾斜角度が基材１０側から基材１０とは反対側にかけて段階的に変化していたり連続的に変化していたりしてもよい。
【０１５８】
また、本実施形態では、複数の突起部６１のすべてにおいて、側面の傾斜角度が、基材１０側から基材１０とは反対側にかけて、連続的または段階的に変化することに限定されない。例えば、複数の突起部６１のうちの一部の突起部６１において、側面の傾斜角度が、基材１０側から基材１０とは反対側にかけて、連続的または段階的に変化していてもよい。すなわち、複数の突起部６１には、側面の傾斜角度が、基材１０側から基材１０とは反対側にかけて、連続的または段階的に変化する複数の突起部６１が含まれていればよい。
【０１５９】
また、本実施形態では、突起部が直線状または曲線状に延在しており、突起部の延在方向と直交する断面における突起部の２つの側面は、いずれも側面の傾斜角度が、基材１０側から基材１０とは反対側にかけて、連続的または段階的に変化していてもよい。
【０１６０】
[第７実施形態]
図２６は、第７実施形態に係る採光フィルム７の概略構成を示す断面図である。
尚、本実施形態において第１実施形態と共通する構成要素については、同じ符号を付し、詳細な説明は省略する。
【０１６１】
本実施形態において第１実施形態と異なる点は、複数の突起部７０において、互いに隣接する２つの突起部７０の基材１０側の端縁が離間している点、すなわち基材１０の一面において突起部７０の形成領域以外の領域（突起部７０の非形成領域）には、基材１０が露出している点である。さらに、複数の突起部７０は、側面の傾斜角度が互いに異なる点である。
【０１６２】
本実施形態において、複数の突起部７０の間隔ｓは一定でもよいし、不規則であってもよい。ただし、複数の突起部７０が不規則な間隔で互いに隣接して配置されることにより、複数の突起部７０が規則的に形成された場合に生じる干渉縞の発生を抑制することができる。
【０１６３】
複数の突起部７０（例えば本実施形態では３つの突起部７１，７２，７３）は、側面７０ｃ２（例えば本実施形態では３つの側面７１ｃ２，７２ｃ２，７３ｃ２）の傾斜角度が互いに異なる。
【０１６４】
突起部７１の基材１０側の端面７１ｂと突起部７１の側面７１ｃ２とのなす角度を角度α３、突起部７２の基材１０側の端面７２ｂと突起部７２の側面７２ｃ２とのなす角度を角度α３１、突起部７３の基材１０側の端面７３ｂと突起部７３の側面７３ｃ２とのなす角度をα３２としたときに、突起部７２の角度α３１は突起部７１の角度α３よりも大きく、かつ、突起部７３の角度α３２は突起部７２の角度α３１よりも大きい（α３＜α３１＜α３２）。例えば、角度α３は例えば７０°〜７５°であり、角度α３１は例えば７５°〜８０°であり、角度α３２は例えば８０°〜８５°である。
【０１６５】
以下、本実施形態に係る採光フィルム７の作用について図２６を用いて説明する。
図２６に示すように、入射角度θｉｎが５４°で、突起部７０の非形成領域において、採光フィルム７に入射した光Ｌｂは、突起部７０の側面７０ｃ１に入射する。突起部７０の側面７０ｃ１に入射した光Ｌｂは、側面７０ｃ１で反射されることなく突起部７０を透過し、突起部７０の側面７０ｃ２で屈折する。突起部７０の側面７０ｃ２のうち突起部７１の側面７１ｃ２で屈折した光Ｌｂ０は、隣り合う２つの突起部７１，７２の間を抜け、採光フィルム７の下方に射出される。突起部７１を透過した光Ｌｂ０は、グレア領域ＡＲの方向Ｖｏｕｔのうち方向Ｖｏｕｔ３０に向けて進行する。
【０１６６】
同様に、突起部７０の側面７０ｃ２のうち突起部７２の側面７２ｃ２で屈折した光Ｌｂ１は、隣り合う２つの突起部７２，７３の間を抜け、採光フィルム７の下方に射出される。突起部７２を透過した光Ｌｂ１は、グレア領域ＡＲの方向Ｖｏｕｔのうち方向Ｖｏｕｔ３１に向けて進行する。また、突起部７０の側面７０ｃ２のうち突起部７３の側面７３ｃ２で屈折した光Ｌｂ２は、隣り合う２つの突起部７０の間（突起部７３と当該突起部７３よりも下方に隣り合う突起部との間）を抜け、採光フィルム７の下方に射出される。突起部７３を透過した光Ｌｂ２は、グレア領域ＡＲの方向Ｖｏｕｔのうち方向Ｖｏｕｔ３２に向けて進行する。
【０１６７】
突起部７０の側面７０ｃ２で屈折した光は、いずれもグレア領域ＡＲの方向Ｖｏｕｔに向けて進行する。しかし、傾斜角度の異なる３つの側面７１ｃ２，７２ｃ２，７３ｃ２でそれぞれ屈折した光は、それぞれ互いに異なる方向Ｖｏｕｔ３０，Ｖｏｕｔ３１，Ｖｏｕｔ３２に向けて進行する。すなわち、突起部７０の側面７０ｃ２で屈折した光は、グレア領域ＡＲの特定方向に集中して進行することはなく、分散されて互いに異なる方向に向けて進行する。
【０１６８】
このように本実施形態に係る採光フィルム７によれば、３つの突起部７１，７２，７３においてそれぞれの側面７１ｃ２，７２ｃ２，７３ｃ２の傾斜角度が互いに異なるため、採光フィルム７の上方から入射してグレア領域ＡＲに向けて進行する光を分散させることができる。従って、グレア領域ＡＲに向けて進行する光を人が眩しさを感じない程度に分散させることにより、屋内に居る人に眩しさを感じさせることを抑制することができる。
【０１６９】
尚、本実施形態では、複数の突起部７０において側面７０ｃ２の傾斜角度が互いに異なる例を挙げて説明したが、これに限らない。例えば、複数の突起部７０において側面７０ｃ１の傾斜角度が互いに異なっていてもよいし、複数の突起部７０において側面７０ｖ１及び側面７０ｃ２の双方の側面の傾斜角度が互いに異なっていてもよい。
【０１７０】
また、本実施形態では、複数の突起部７０のすべてにおいて、側面の傾斜角度が互いに異なることに限定されない。例えば、複数の突起部７０のうちの一部の突起部において、側面の傾斜角度が互いに異なっていてもよい。すなわち、複数の突起部７０には、側面の傾斜角度が互いに異なる複数の突起部７０が含まれていればよい。
【０１７１】
尚、上記第６実施形態及び第７実施形態では、突起部の非形成領域には基材１０が露出しているが、この領域には、光透過性を有する部材が基材１０の一面に重ねて形成されていてもよい。すなわち、基材１０の一面において突起部の形成領域以外の領域には、基材１０の一面に形成された光透過性を有する部材が露出していてもよい。このような部材としては、紫外線や赤外線を遮光し可視光を透過する部材などが挙げられる。この場合でも、突起部の非形成領域に入射した可視光を採光フィルムの下方に向けて射出させることができる。
【０１７２】
また、上記第２実施形態から第７実施形態では、複数の突起部において、互いに隣接する２つの突起部の基材１０側の端縁が離間している例を挙げて説明したが、複数の突起部のすべてにおいて、互いに隣接する２つの突起部の基材１０側の端縁が離間していることに限定されない。例えば、複数の突起部のうちの一部の突起部において、互いに隣接する２つの突起部の基材１０側の端縁が離間していてもよい。すなわち、複数の突起部には、互いに隣接する２つの突起部の一部が接している構成（例えば第１実施形態の構成）が含まれていてもよい。
【０１７３】
［第８実施形態］
図２７（ａ）〜（ｃ）は、第８実施形態に係る採光フィルムの突起部と間隙部の平面形状のバリエーションを示す平面図である。
これらのバリエーションは、上述した第１実施形態から第７実施形態に係る採光フィルムの構成に適用可能である。ただし、第１実施形態に係る採光フィルムにおいては複数の突起部（間隙部）のうちの一部の突起部（間隙部）について適用可能である。
図２７（ａ）〜（ｃ）において、符号１８は突起部であり、符号１９は間隙部である。
ただし、符号１８が間隙部であり、符号１９が突起部であってもよい。
尚、本実施形態において第１実施形態と共通する構成要素については、同じ符号を付し、詳細な説明は省略する。
【０１７４】
図２７（ａ）は、突起部１８と間隙部１９がＹ方向に長手方向を有するストライプ状に形成されている例を示している。図２７（ａ）において、突起部１８間の空隙部１９の幅は一定であるが、突起部１８の幅はランダムである。この採光フィルム１００においても、第１実施形態で説明したものと同様の効果が得られる。
【０１７５】
図２７（ｂ）は、複数の間隙部１９が樹木の枝のように不規則に屈曲し若しくは分岐した状態で形成されている例を示している。この例では、例えば、基材１０の全面に突起部１８の材料である透明なレジスト層が形成され、このレジスト層に複数の開口部が形成され、この開口部が空気などのガスで満たされることにより、突起部１８および空隙部１９が形成されている。
【０１７６】
複数の開口部１８ａ（空隙部１９）の各々は概ね一方向に長手方向を有している。前記一方向は、矩形形状を有する基材１０の１辺と平行な方向に配置されている。採光フィルム１０１は、前記一方向と直交する方向が鉛直方向となるように窓ガラスのガラス基板に貼り付けられる。この採光フィルム１０１においても、第１実施形態で説明したものと同様の効果が得られる。
【０１７７】
ここで、「複数の開口部の各々が概ね一方向に長手方向を有している」とは、例えば、次のようなことをいう。すなわち、基材１０の突起部１８が形成された側から基材１０の内部に蛍光のような等方的に拡散する光を入射させ、複数の突起部１８の外部に射出される光の極角輝度分布を測定する。このとき、複数の突起部１８から射出される光の輝度が相対的に強い方向と相対的に弱い方向とが存在する場合に、「開口部が概ね一方向に長手方向を有している」という。輝度が相対的に強い方向と直交する方向は、前記「一方向」として規定される。
【０１７８】
図２７（ｃ）は、突起部１８の形状が一方向に長軸を有する例を示している。図２７（ｃ）では、突起部１８の形状が楕円であるが、突起部１８の形状はこれに限定されない。
突起部１８の形状は、長方形や菱形などの他の形状であってもよい。採光フィルム１０２は、突起部１８の長軸方向と直交する方向が鉛直方向となるように窓ガラスのガラス基板に貼り付けられる。この例においても、第１実施形態で説明したものと同様の効果が得られる。
【０１７９】
［第９実施形態］
図２８は、第９実施形態に係る採光フィルム１０３の部分平面図である。
採光フィルム１０３は、上述した第１実施形態から第８実施形態に係る採光フィルムの構成に適用可能である。ただし、第１実施形態に係る採光フィルムにおいては複数の突起部（間隙部）のうちの一部の突起部（間隙部）について適用可能である。
尚、本実施形態において第１実施形態と共通する構成要素については、同じ符号を付し、詳細な説明は省略する。
【０１８０】
第１実施形態の採光フィルムでは、基材の一面には、互いに延在方向が等しい複数のストライプ状の突起部が形成されていた。それに対して、本実施形態の採光フィルム１０３では、基材１０の一面には、互いに延在方向が異なる複数のストライプ状の突起部１１が形成されている。
【０１８１】
基材１０の一面には複数のタイリング領域（本実施形態の場合、６つのタイリング領域ＴＡ１〜ＴＡ６）が設けられている。複数のタイリング領域の各々には、互いに平行に配置された複数のストライプ状の突起部１１が形成されている。互いに隣接する２つのタイリング領域では、突起部１１の延在方向は互いに異なっている。
【０１８２】
本実施形態の場合、採光フィルム１０３には、６種類のタイリング領域（第１タイリング領域ＴＡ１、第２タイリング領域ＴＡ２、第３タイリング領域ＴＡ３、第４タイリング領域ＴＡ４、第５タイリング領域ＴＡ５、第６タイリング領域ＴＡ６）が設けられている。６種類のタイリング領域は、Ｙ方向およびＺ方向に３行２列の形態でマトリクス状に並ぶことによって１つの単位領域を形成している。基材１０の一面には、このような単位領域がＹ方向およびＺ方向に隙間なく並べて配置されている。
【０１８３】
第１タイリング領域ＴＡ１に配置された複数の突起部１１の延在方向は、Ｙ方向に対して、時計回りに２５°傾いた方向である。第２タイリング領域ＴＡ２に配置された複数の突起部１１の延在方向は、Ｙ方向に対して、時計回りに１５°傾いた方向である。第３タイリング領域ＴＡ３に配置された複数の突起部１１の延在方向は、Ｙ方向に対して、時計回りに５°傾いた方向である。第４タイリング領域ＴＡ４に配置された複数の突起部１１の延在方向は、Ｙ方向に対して、反時計回りに５°傾いた方向である。第５タイリング領域ＴＡ５に配置された複数の突起部１１の延在方向は、Ｙ方向に対して、反時計回りに１５°傾いた方向である。第６タイリング領域ＴＡ６に配置された複数の突起部１１の延在方向は、Ｙ方向に対して、反時計回りに２５°傾いた方向である。
【０１８４】
仮に、採光フィルムを複数のタイリング領域に分割しない場合には、天井に光が入射する領域は、天井の比較的狭い領域に限定される。突起部の延在方向は、窓の一辺と平行に配置されるため、採光フィルムに入射する光の進行方向と採光フィルムから射出される光の進行方向は、天井側から見て同方向となる。そのため、天井に光が入射する領域は、窓と同程度の幅の狭い領域となり、天井に光が入射する位置も、窓に光が入射する方位によって大きくばらつく。
【０１８５】
これに対し、本実施形態に係る採光フィルム１０３によれば、突起部の反射方向がタイリング領域ごとに異なるため、採光フィルムから射出される光の進行方向は左右方向に分散される。そのため、天井に光が入射する領域は、窓よりも広い幅の領域となり、天井に光が入射する位置も、窓に光が入射する方位によってばらつきにくい。よって、このような採光フィルムを用いた場合には、部屋の広い範囲を明るく照明することができ、また、時間帯により太陽の方位が変化してもその影響を受けにくくすることができる。
【０１８６】
［第１０実施形態］
図２９は、第１０実施形態に係る採光フィルム１０４の部分平面図である。図２９（ａ）は、採光フィルム１０４に設けられる複数のタイリング領域を示す平面図であり、図２９（ｂ）は、複数のタイリング領域の配置を示す平面図である。
採光フィルム１０４は、上述した第１実施形態から第９実施形態に係る採光フィルムの構成に適用可能である。ただし、第１実施形態に係る採光フィルムにおいては複数の突起部（間隙部）のうちの一部の突起部（間隙部）について適用可能である。
尚、本実施形態において第９実施形態と共通する構成要素については、同じ符号を付し、詳細な説明は省略する。
【０１８７】
第９実施形態の採光フィルムでは、基材の一面には、基材の法線方向から見て、直線状に延びるストライプ状の突起部が形成されていた。突起部の延在方向は途中で変化することはなく、常に同じ方向を向いている。それに対して、本実施形態の採光フィルム１０４では、基材１０の一面には、基材１０の法線方向から見て、延在方向が変化する突起部１１が形成されている。
【０１８８】
基材１０の一面には複数のタイリング領域（本実施形態の場合、２つのタイリング領域ＴＡ７，ＴＡ８）が設けられている。複数のタイリング領域の各々には、基材１０の法線方向から見て、同心円状に配置された複数の円弧状の突起部１１が形成されている。互いに隣接する２つのタイリング領域では、円弧の凸となる方向が互いに異なっている。
【０１８９】
本実施形態の場合、採光フィルム１０４には、２種類のタイリング領域（第７タイリング領域ＴＡ７、第８タイリング領域ＴＡ８）が設けられている。第７タイリング領域ＴＡ７と第８タイリング領域ＴＡ８は、それぞれ凧形の形状を有する。凧形とは、四角形の一種で、隣り合う２本の辺の長さが等しい組が２組ある図形をいう。本実施形態の場合、凧形の形状として、４つの内角が、１２０°、９０°、６０°、９０°となるような形状が採用されている。
【０１９０】
第７タイリング領域ＴＡ７と第８タイリング領域ＴＡ８には、内角が６０°となる頂点を中心とした複数（本実施形態では６本）の同心円状の突起部１１が形成されている。突起部１１の断面形状は、図２７に示したものと同様に、光射出端面の面積が光入射端面の面積よりも大きい台形形状である。基材１０には、互いに断面形状が等しい複数の突起部１１が一定の間隔で同心円状に配置されている。
【０１９１】
第７タイリング領域ＴＡ７と第８タイリング領域ＴＡ８は、円弧の凸となる方向が互いに逆向きとなるように上下反転させた形状となって以外は、同じ形状である。基材１０の一面には、第７タイリング領域ＴＡ７と第８タイリング領域ＴＡ８がＹ方向とＺ方向に隙間なく並べて配置されている。
【０１９２】
本実施形態の採光フィルム１０４においては、突起部１１の延在方向が１つの突起部内で変化しているため、採光フィルム１０４から射出される光の進行方向を多方向に分散させることができる。そのため、部屋の広い範囲を明るく照明することができ、また、時間帯により太陽の方位が変化してもその影響を受けにくくすることができる。
【０１９３】
［第１１実施形態］
図３０（ａ）〜（ｋ）は、第１１実施形態に係る採光フィルムの突起部の断面形状バリエーションを示す断面図である。
これらのバリエーションは、上述した第１実施形態から第１０実施形態に係る採光フィルムの構成に適用可能である。ただし、第１実施形態に係る採光フィルムにおいては、図３０（ｆ）に示す断面形状バリエーションを除き、複数の突起部のうちの一部の突起部について適用可能である。
【０１９４】
図３０（ａ）は、突起部１１の断面形状が矩形である例を示している。この例では、突起部１１の側面が基材１０の法線方向と平行であるため、基材１０の法線方向に進行する光に対して透過率が最も高くなる。よって、採光フィルムを介して外部の景色を観察したときに、最も透明性が高くなる。
【０１９５】
図３０（ｂ）は、突起部１１の断面形状が台形である例を示している。突起部１１の＋Ｚ方向側の側面は基材１０の法線方向と平行な水平面であるが、突起部１１の−Ｚ方向側の側面は、基材１０の法線方向に対して傾斜した傾斜面である。突起部１１の保護部材１３側の端面に入射した光は、この傾斜面に反射されて、屋内の天井や屋内の奥のほうに導かれる。外光を反射する傾斜面が、天井側に傾斜しているので、図３０（ａ）の例に比べて突起部から射出される光の射出角度を大きくすることができる。
【０１９６】
図３０（ｃ）は、突起部１１の断面形状が台形である例を示しているが、図３０（ｂ）の例と比較して、突起部１１の＋Ｚ方向側の側面が天井側とは反対側に傾斜している点が異なる。突起部１１の−Ｚ方向側の側面が傾斜していると、突起部１１の−Ｚ方向側の側面で反射された光が突起部１１の＋Ｚ方向側の側面で反射されずに、そのまま＋Ｚ方向側の側面から外部に射出される場合がある。この場合、突起部１１の＋Ｚ方向側の側面は天井側とは反対側に傾斜しているため、光の進行方向は水平に近くなる。よって、天井を照らす光の割合が小さくなり、屋内の奥のほうに向かう光の割合が大きくなる。
【０１９７】
図３０（ｄ）は、突起部１１の断面形状が台形である例を示しているが、図３０（ｂ）の例と比較して、突起部１１の−Ｚ方向側の側面が−Ｚ方向側（天井側とは反対側）に傾斜している点が異なる。この例では、傾斜面（反射面）が、天井側とは反対側に傾斜しているので、図３０（ａ）の例に比べて、天井側に向かう光の割合が小さくなり、屋内の奥のほうに向かう光の割合が大きくなる。
【０１９８】
図３０（ｅ）は、突起部１１の断面形状が平行四辺形である例を示している。突起部１１の２つの側面は、基材１０の法線方向に対して傾斜した傾斜面である。傾斜面（反射面）は、天井とは反対側に向けて傾斜している。そのため、図３０（ｄ）の例と同様に、天井側に向かう光の割合が小さくなり、屋内の奥のほうに向かう光の割合が大きくなる。
【０１９９】
図３０（ｆ）は、突起部の形状が台形である例を示している。突起部１１の２つの側面はいずれも傾斜面であるが、その傾斜方向は図３０（ｃ）の例とは反対である。この例でも、図３０（ｄ）の例と同様に、天井側に向かう光の割合が小さくなり、屋内の奥のほうに向かう光の割合が大きくなる。
【０２００】
図３０（ｇ）は、突起部１１の断面形状が平行四辺形である例を示しているが、突起部の２つの側面の傾斜方向は図３０（ｅ）の例とは反対である。この例では、突起部１１の紙面下側の側面が天井側に傾斜しているので、図３０（ｂ）の例と同様に、突起部から射出される光の射出角度を大きくすることができる。
【０２０１】
図３０（ｈ）は、突起部１１の断面形状が台形である例を示しているが、図３０（ｄ）の例と比較して、突起部１１の＋Ｚ方向側の側面が−Ｚ方向側（天井側とは反対側）に傾斜している点が異なる。この例でも、図３０（ｄ）の例と同様に、天井側に向かう光の割合が小さくなり、屋内の奥のほうに向かう光の割合が大きくなる。
【０２０２】
図３０（ｉ）は、突起部１１の断面形状が三角形である例を示している。突起部１１の−Ｚ方向側の側面は−Ｚ方向側（天井側とは反対側）に傾斜しているが、突起部１１の＋Ｚ方向側の側面は＋Ｚ方向側（天井側）に傾斜している。この例では、傾斜面（反射面）が、天井側とは反対側に傾斜しているので、天井側に向かう光の割合が小さくなり、屋内の奥のほうに向かう光の割合が大きくなる。
【０２０３】
図３０（ｊ）は、突起部１１の断面形状が三角形である例を示しているが、図３０（ｉ）の例と比較して、突起部１１の＋Ｚ方向側の側面が基材１０の法線方向と平行である点が異なる。この例でも、図３０（ｉ）の例と同様に、天井側に向かう光の割合が小さくなり、屋内の奥のほうに向かう光の割合が大きくなる。
【０２０４】
図３０（ｋ）は、突起部１１の断面形状が三角形である例を示しているが、図３０（ｉ）の例と比較して、突起部１１の＋Ｚ方向側の側面が−Ｚ方向側（天井側とは反対側）に傾斜している点が異なる。この例でも、図３０（ｉ）の例と同様に、天井側に向かう光の割合が小さくなり、屋内の奥のほうに向かう光の割合が大きくなる。
【０２０５】
［第１２実施形態］
図３１（ａ）〜（ｄ）は、第１２実施形態に係る採光フィルムの利用形態のバリエーションを示す断面図である。
これらのバリエーションは、上述した第１実施形態から第１１実施形態に係る採光フィルムの構成に適用可能である。
本実施形態においては、採光フィルムの表裏両面のうち、基材１０側の面（基材１０を挟んで突起部とは反対側の面）を第１面、保護部材１３側の面（基材１０を挟んで突起部側の面）を第２面とする。
尚、本実施形態において第１実施形態と共通する構成要素については、同じ符号を付し、詳細な説明は省略する。
【０２０６】
図３１（ａ）は、採光フィルム１の第２面が接着層２０を介してガラス基板２１の屋内側の面に接着されている例を示している。採光フィルム１は、基材１０側を外側に向けて、ガラス基板２１の一面に貼り付けられている。採光フィルム１とガラス基板２１によって窓ガラス２００が形成されている。
【０２０７】
図３１（ｂ）は、採光フィルム１の第１面が接着層２０を介してガラス基板２１の屋外側の面に接着されている例を示している。採光フィルム１は、保護部材１３側を外側に向けて、ガラス基板２１の一面に貼り付けられている。採光フィルム１とガラス基板２１によって窓ガラス２０１が形成されている。
【０２０８】
図３１（ｃ）は、採光フィルム１に対して保護部材１３を有しない採光フィルム１Ａの第２面が接着層２０を介してガラス基板２１の屋内側の面に接着されている例を示している。採光フィルム１Ａとガラス基板２１によって窓ガラス２０２が形成されている。この構成においては、突起部１１がガラス基板２１と基材１０の間に挟みこまれる。そのため、空隙部１２に汚れが付着し、採光フィルム１Ａの性能が劣化することが抑制される。
【０２０９】
図３１（ｄ）は、採光フィルム１がガラス基板に貼り付けられずに、採光フィルム単体として使用される例を示している。採光フィルム１は、必要なときにだけ簾のように窓に垂らして使用される。必要のないときは、邪魔にならないように、ロール状に巻き取って窓の上部に設置される。
【０２１０】
［第１３実施形態］
図３２は、第１３実施形態に係る窓ガラス２０３の部分斜視図である。
尚、本実施形態において第１実施形態と共通する構成要素については、同じ符号を付し、詳細な説明は省略する。
【０２１１】
本実施形態の窓ガラス２０３では、突起部を備えた採光フィルムがガラス基板２１に貼り付けられるのではなく、ガラス基板２１上に直接突起部１１が形成される。すなわち、本実施形態の窓ガラス２０３は、ガラス基板２１と、ガラス基板２１の一面に互いに隣接して形成された複数の光透過性を有する突起部１１と、突起部１１同士の間に形成された空隙部１２と、複数の突起部１１を挟んでガラス基板２１とは反対側に設けられた光透過性を有する保護基板２２と、を備えている。
【０２１２】
尚、本実施形態では、複数の突起部１１を挟んでガラス基板２１とは反対側に光透過性を有する保護基板２２が設けられているが、保護基板２２が設けられていなくてもよい。
すなわち、少なくともガラス基板２１が設けられていればよい。また、保護基板２２に替えて、可撓性を有する保護フィルムが設けられていてもよい。
【０２１３】
本実施形態では、突起部１１のガラス基板２１とは反対側（保護基板２２側）の端面が光入射端面として構成されており、突起部１１のガラス基板２１側の端面が光射出端面として構成されている。
【０２１４】
突起部１１のガラス基板２１側の端面の面積は、突起部１１の保護基板２２側の端面の面積よりも大きい。本実施形態では、複数の突起部１１において、互いに隣接する２つの突起部１１のガラス基板２１側の端縁が接している。
【０２１５】
複数の突起部１１の各々は概ね一方向に長手方向を有している。前記一方向は、矩形形状を有するガラス基板２１の１辺と平行な方向に配置されている。本実施形態の場合、複数の突起部１１の各々は、Ｙ方向に延びる一定幅のストライプ状の突起部として構成されているが、突起部１１の構成はこれに限定されない。
【０２１６】
例えば、本実施形態では、孤立した複数の突起部１１がガラス基板２１上に形成されているが、図２７（ｂ）のように、突起部１１がガラス基板２１の全面に一続きに形成されていてもよい。例えば、ガラス基板２１の全面に突起部１１の材料である透明なレジスト層が形成され、このレジスト層に複数の開口部が形成され、この開口部が空気などのガスで満たされることにより、突起部１１および空隙部１２が形成されてもよい。
【０２１７】
このような窓ガラスは、ガラス基板２１と、ガラス基板２１の一面に形成された光透過性を有する突起部１１と、突起部１１に形成された、互いに隣接する複数の開口部と、前記開口部に形成された空隙部１２と、突起部１１を挟んでガラス基板２１とは反対側に設けられた光透過性を有する保護基板２２と、を備えたものとなる。
【０２１８】
また、これ以外にも、突起部１１の構成については、上述した第１実施形態から第１１実施形態に示されたものを適用することができる。
【０２１９】
本実施形態の窓ガラス２０３は、突起部１１の下地となる基材が存在しないので、第１２実施形態に係る窓ガラス２００，２０１と比較して、透明性が高い。また、突起部１１がガラス基板２１上に直接形成されるので、採光フィルムを貼り付ける工程が不要になり、部材点数の削減や製造工程の簡略化が図られる。
【０２２０】
また、この構成においては、保護基板２２によって突起部１１の上部が覆われる。そのため、空隙部１２に汚れが付着し、窓ガラス２０３の採光性能が劣化することが抑制される。
【０２２１】
［第１４実施形態］
図３３（ａ）、（ｂ）は、第１４実施形態に係るロールスクリーン３００の概略構成図である。図３３（ａ）は、第１４実施形態に係るロールスクリーン３００の斜視図である。図３３（ｂ）は、ロールスクリーン３００に用いられる採光フィルム３０１の部分断面図である。
尚、本実施形態において第１実施形態と共通する構成要素については、同じ符号を付し、詳細な説明は省略する。
【０２２２】
図３３（ａ）に示すように、ロールスクリーン３００は、採光フィルム３０１と、採光フィルム３０１を軸心２７ａの回りに巻き取る巻き取り機構２７と、軸心２７ａおよび巻き取り機構２７を収容する収容部２８と、を備えている。
【０２２３】
収容部２８は、窓３０の上部に設置される。収容部２８に巻き取られた採光フィルム３０１は、採光フィルム３０１の下端部に取り付けられたコード２９を下側に引っ張ることで巻き出される。本実施形態の場合、巻き取り機構２７は、プルコード式の巻き取り機構であるが、チェーン式の巻き取り機構であってもよい。
【０２２４】
図３３（ｂ）に示すように、採光フィルム３０１は、光透過性を有する基材１０と、基材１０の一面に互いに隣接して形成された複数の光透過性を有する突起部１１と、突起部１１同士の間に形成された空隙部１２と、複数の突起部１１を挟んで基材１０とは反対側に設けられた光透過性を有する保護フィルム３１と、基材１０を挟んで複数の突起部１１が形成された側とは反対側に設けられた光透過性のインテリアフィルム３２と、を備えている。
【０２２５】
インテリアフィルム３２は、絵柄や装飾が施されたフィルムである。このようなインテリアフィルム３２に、突起部１１が形成された基材１０を重ね合わせることで、デザイン性に優れた採光フィルムが提供できる。インテリアフィルム３２は、接着層３３によって基材３３と接着されているが、保護フィルム３１と接着されてもよい。
【０２２６】
［第１５実施形態］
図３４（ａ）、（ｂ）は、第１５実施形態に係る採光ルーバー４００の部分斜視図である。図３４（ａ）は、採光フィルム４０１を水平方向に設置した状態を示しており、図３４（ｂ）は、採光フィルム４０１を傾動させた状態を示している。
尚、本実施形態において第１実施形態と共通する構成要素については、同じ符号を付し、詳細な説明は省略する。
【０２２７】
図３４（ａ）に示すように、採光ルーバー４００は、梯子状に形成されたラダーコード３８と、ラダーコード３８に整列状態に支持された複数の帯状の採光フィルム４０１と、を備えている。
【０２２８】
ラダーコード３８は、採光フィルム４０１の幅方向両側に垂れ下がる２本の垂直コード３４，３５と、鉛直方向に互いに所定の間隔を空けた位置で２本の垂直コード３４，３５の間に水平に掛け渡される複数の水平コード３７と、を備えている。水平コード３７は、採光フィルム４０１の上下面を挟み込む一対のコード３６ａ，３６ｂからなる。
【０２２９】
図３４（ｂ）に示すように、２本の垂直コード３４，３５の一方を鉛直上方に引き上げ、他方を鉛直下方に引き下げることにより、水平コード３７が傾動する。複数の水平コード３７の各々に採光フィルム４０１が支持されることで、複数の採光フィルム４０１が鉛直方向に所定の間隔を空けて傾動自在に支持されている。
【０２３０】
図３５は、採光ルーバー４００に用いられる採光フィルム４０１の部分斜視図である。
【０２３１】
採光フィルム４０１は、光透過性を有する基材３９と、基材３９の一面に互いに隣接して形成された複数の光透過性を有する突起部１１と、突起部１１同士の間に形成された空隙部１２と、複数の突起部１１を挟んで基材３９とは反対側に設けられた光透過性を有する保護基板４０と、を備えている。
【０２３２】
尚、本実施形態では、複数の突起部１１を挟んで基材３９とは反対側に光透過性を有する保護基板４０が設けられているが、保護基板４０が設けられていなくてもよい。すなわち、少なくとも基材３９が設けられていればよい。また、保護基板４０に替えて、可撓性を有する保護フィルムが設けられていてもよい。
【０２３３】
本実施形態では、突起部１１の基材３９とは反対側（保護基板４０側）の端面が光入射端面として構成されており、突起部１１の基材３９側の端面が光射出端面として構成されている。
【０２３４】
突起部１１の基材３９側の端面の面積は、突起部１１の保護基板４０側の端面の面積よりも大きい。本実施形態では、複数の突起部１１において、互いに隣接する２つの突起部１１の基材３９側の端縁が接している。
【０２３５】
基材３９としては、第１実施形態の基材１０と同様のものを用いることができる。ただし、ラダーコード３８で傾動させる際に形が崩れないように、基材３９としては、形状が維持できる程度の剛性を備えた光透過性のフィルムが用いられる。基材３９は、一定幅でＹ方向に細長く形成されている。
【０２３６】
複数の突起部１１の各々は概ね一方向に長手方向を有している。前記一方向は、矩形形状を有する基材３９の１辺と平行な方向に配置されている。本実施形態の場合、複数の突起部１１の各々は、Ｙ方向に延びる一定幅のストライプ状の突起部として構成されているが、突起部１１の構成はこれに限定されない。
【０２３７】
例えば、本実施形態では、孤立した複数の突起部１１が基材３９上に形成されているが、図２７（ｂ）のように、突起部１１が基材３９の全面に一続きに形成されていてもよい。例えば、基材３９の全面に突起部１１の材料である透明なレジスト層が形成され、このレジスト層に複数の開口部が形成され、この開口部が空気などのガスで満たされることにより、突起部１１および空隙部１２が形成されてもよい。
【０２３８】
このような採光フィルム４０１は、基材３９と、基材３９の一面に形成された光透過性を有する突起部１１と、突起部１１に形成された、互いに隣接する複数の開口部と、前記開口部に形成された空隙部１２と、突起部１１を挟んで基材３９とは反対側に設けられた光透過性を有する保護基板４０と、を備えたものとなる。
【０２３９】
また、これ以外にも、突起部１１の構成については、上述した第１実施形態から第１１実施形態に示されたものを適用することができる。
【０２４０】
図３６（ａ）、（ｂ）は、採光ルーバーの作用を説明するための図である。
図３６（ａ）、（ｂ）において、＋Ｚ方向側は鉛直上方であり、−Ｚ方向側は鉛直下方である。突起部１１は、水平方向であるＹ方向に一定の幅でストライプ状に形成されている。
【０２４１】
図３６（ａ）に示すように、採光フィルム４０１が垂直に立てられた状態では、突起部１１の高さ方向が水平方向に配置されるため、採光フィルム４０１に入射した光は、概ね正反射の方向に反射されて採光フィルム４０１から射出される。よって、天井側が明るく照らされる。
【０２４２】
一方、図３６（ｂ）に示すように、採光フィルム４０１を斜めに傾けられた状態では、突起部１１の高さ方向が−Ｚ方向側（天井側とは反対側）に傾斜するため、図３６（ａ）の例に比べて、天井側に向かう光の割合が小さくなり、屋内の奥のほうに向かう光の割合が大きくなる。
【０２４３】
このように、採光フィルム４０１の傾きを制御することにより、採光フィルム４０１から射出される光の方向を制御することができる。よって、部屋の大きさ、窓の向き、時間、季節などによって居住者がその方向を適切に制御することで、屋内の照明状態を常に良好な状態に保つことができる。
【０２４４】
［第１６実施形態］
図３７（ａ）、（ｂ）は、第１６実施形態に係る窓ガラス２０４の概略構成図である。
図３７（ｂ）は、図３７（ａ）のＤ−Ｄ′線に沿う窓ガラス２０４の断面図である。
尚、本実施形態において第１実施形態と共通する構成要素については、同じ符号を付し、詳細な説明は省略する。
【０２４５】
図３７（ａ）に示すように、窓ガラス２０４は、人間の身長よりも高い大型の窓ガラスである。通常人間が外を見るときに利用するエリアはＣ２であり、エリアＣ２よりも高いエリアＣ１は主に採光エリアとして利用される。そのため、本実施形態では、人間の視界を遮らないエリアＣ１のみに採光フィルムの突起部を設置している。
【０２４６】
図３７（ｂ）に示すように、採光フィルム５０の基本構成は第１実施形態の採光フィルム１と同じである。採光フィルム５０の基材１０は、ガラス基板２１の全面に貼り付けられているが、突起部１１はエリアＣ１のみに配置され、エリアＣ２には配置されていない。よって、外部の景色を観察する際の透明性が高く、且つ、採光性にも優れた窓ガラスとなる。
【０２４７】
［第１７実施形態］
図３８は、第１７実施形態に係る窓ガラス２０５の断面図である。
尚、本実施形態において第１６実施形態と共通する構成要素については、同じ符号を付し、詳細な説明は省略する。
【０２４８】
本実施形態において第１６実施形態と異なる点は、第１６実施形態では、基材１０がエリアＣ１とエリアＣ２の双方に設置され、且つ、突起部１１がエリアＣ１のみに設置されていたのに対し、本実施形態では、基材１０と突起部１１の双方がエリアＣ１のみに設置されている点である。すなわち、採光フィルム５１はエリアＣ１のみに設置されている。
【０２４９】
本実施形態では、基材１０がエリアＣ１のみに設置されているため、第１６実施形態に比べて部材のコストが低減される。また、エリアＣ２に基材１０が設置されないことで、外部の景色を観察する際の透明性はさらに高くなる。
【０２５０】
［第１８実施形態］
図３９は、第１８実施形態に係る窓ガラス２０６の断面図である。
尚、本実施形態において第１実施形態と共通する構成要素については、同じ符号を付し、詳細な説明は省略する。
【０２５１】
窓ガラス２０６は、ガラス基板２１と、ガラス基板２１の一面に貼り付けられた採光フィルム５２と、を備えている。採光フィルム５２の基本構成は第１実施形態と同じである。基材１０の突起部１１が形成された側とは反対側に光散乱フィルム４４が設けられている点が、第１実施形態と異なる。本実施形態の場合、光散乱フィルム４４は、透明フィルム４５の内部に散乱粒子４６が分散されたものである。採光フィルム５２は、基材１０の突起部１１が形成された側とは反対側を外側に向けて、ガラス基板２１の屋内側の一面に貼り付けられている。
【０２５２】
突起部１１の側面で反射された光は、光散乱フィルム４４の散乱粒子４６で散乱され、屋内の広い範囲を明るく照らす。光散乱フィルム４４の拡散性や強拡散方位を変えることで、明るくなる位置や方位を様々に変えることができる。この場合、外部の景色を観察する際の透明性は低下するが、磨りガラスと同等の採光性が得られる。
【０２５３】
［第１９実施形態］
図４０は、第１９実施形態に係る窓ガラス２０７の断面図である。
尚、本実施形態において第１実施形態と共通する構成要素については、同じ符号を付し、詳細な説明は省略する。
【０２５４】
窓ガラス２０７は、ガラス基板２１と、ガラス基板２１の一面に貼り付けられた採光フィルム５３と、を備えている。採光フィルム５３の基本構成は第１実施形態と同じである。基材１０の突起部１１が形成された側とは反対側に光透過性を有する断熱フィルム４８が設けられている点が、第１実施形態と異なる。断熱フィルム４８としては、窓ガラス用断熱フィルムとして市販されている公知の断熱フィルムを用いることができる。採光フィルム５３は、基材１０の突起部１１が形成された側とは反対側を外側に向けて、ガラス基板２１の屋内側の一面に貼り付けられている。
【０２５５】
本実施形態の場合、採光フィルム５３の突起部１１側の面がガラス基板２１と接着されているため、空隙部１２の空気は、ガラス基板２１と基材１０との間に挟みこまれる。空気層は屋外の熱を屋内に伝え難い性質を持つため、採光フィルム自体が断熱性を有する。
よって、基材１０の一面に断熱フィルム４８が接着された窓ガラス２０７は、断熱フィルム４８が備える断熱性以上に高い断熱性を有している。
【０２５６】
以上のように、本実施形態の窓ガラス２０７によれば、採光性と断熱性の双方を備えた窓ガラスとなる。
【０２５７】
［第２０実施形態］
図４１は、第２０実施形態に係る窓５００の断面図である。
尚、本実施形態において第１実施形態と共通する構成要素については、同じ符号を付し、詳細な説明は省略する。
【０２５８】
突き出し窓５００は、窓ガラス５０１と、窓ガラス５０１を窓枠１２１に接続する棒状の支持金具１２２と、を備えている。窓ガラス５０１は、上記実施形態の窓ガラスを用いることができる。支持金具１２２の一方の端部１２３は、窓ガラス５０１の額縁１２０に回転可能に接続されており、支持金具１２２の他方の端部１２４は、窓枠１２１に回転可能に接続されている。
【０２５９】
支持金具１２２の一方の端部１２３を支点として窓ガラス５０１を傾動させることで、窓ガラス５０１に設置された採光フィルムの傾き（採光フィルムから射出される光の方向）を制御することができる。よって、部屋の大きさ、窓の向き、時間、季節などによって居住者がその傾きを適切に制御することで、屋内の照明状態を常に良好な状態に保つことができる。
【０２６０】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【実施例】
【０２６１】
図４２は、実施例の説明図である。
図４２では、実施例として第１実施形態に係る採光フィルム１の効果を、比較例に係る採光フィルム１００１と比較して説明する。図４２において、横軸は入射角度θｉｎ（°）、縦軸は光束（×１０３ｌｍ）である。また、曲線Ｃｖ２０は比較例に係る採光フィルム１００１の上方から差し込んだ光のうちグレア領域ＡＲに向けて進行する光の光束、曲線Ｃｖ２１は実施例に係る採光フィルム１の上方から差し込んだ光のうちグレア領域ＡＲに向けて進行する光の光束、をそれぞれ示している。【０２６２】
＜比較例＞
比較例に係る採光フィルム１００１の条件は、突起部１１の幅ｗを３０μｍ、突起部１１の間隔ｓを５μｍ、突起部１１の高さｈを４０μｍ、突起部１１の角度α１を７０°、突起部１１の角度α２を８０°、突起部１１の屈折率及び基材１０の屈折率をそれぞれ１．４９としている。【０２６３】
＜実施例＞
実施例に係る採光フィルム１の条件は、突起部１１の幅ｗを３０μｍ、突起部１１の間隔ｓを０μｍ、突起部１１の高さｈを４０μｍ、突起部１１の角度α１を７０°、突起部１１の角度α２を８０°、突起部１１の屈折率及び基材１０の屈折率をそれぞれ１．４９としている。【０２６４】
図４２に示すように、比較例においては、グレア領域ＡＲに向けて進行する光の光束は、入射角度θｉｎが５０°になるまでは２０×１０３ｌｍ以下の値を維持している。しかし、入射角度θｉｎが５０°を超えると光束が急峻に増加し、入射角度θｉｎが５４°で光束が最大値となる。そして、入射角度θｉｎが５４°を超えると光束が急峻に低下し、入射角度θｉｎが６０°を超えると光束が２０×１０３ｌｍを下回る。【０２６５】
これに対し、実施例においては、グレア領域ＡＲに向けて進行する光の光束は、入射角度θｉｎが３０°から８０°まで２０×１０３ｌｍ以下の値を維持している。また、比較例において光束が最大値となる入射角度θｉｎが５４°において、光の光束は５×１０３ｌｍを下回っている。【０２６６】
以上のように、実施例においては、比較例よりも、採光フィルムの上方から入射した光がグレア領域ＡＲに向けて進行することを抑制することができ、屋内に居る人に眩しさを感じさせることを抑制することができることが分かった。【０２６７】
（１）光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である採光フィルム。【０２６８】
（２）光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている採光フィルム。【０２６９】
（３）光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい採光フィルム。【０２７０】
（４）前記突起部の前記基材側の端面の面積は、前記突起部の前記基材とは反対側の端面の面積よりも大きい上記（１）から（３）までのいずれか一項に記載の採光フィルム。【０２７１】
（５）前記複数の突起部には、側面の傾斜角度が、前記基材側から前記基材とは反対側にかけて、連続的または段階的に変化する複数の突起部が含まれている上記（４）に記載の採光フィルム。【０２７２】
（６）前記複数の突起部には、側面の傾斜角度が互いに異なる複数の突起部が含まれている上記（４）又は（５）に記載の係る採光フィルム。【０２７３】
（７）前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化する上記（４）から（６）までのいずれか一項に記載の採光フィルム。【０２７４】
（８）光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている採光フィルム。【０２７５】
（９）光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている採光フィルム。【０２７６】
（１０）前記複数の突起部には、互いに隣接する２つの前記突起部の一部が接している構成が含まれている上記（４）から（７）までのいずれか一項に記載の採光フィルム。【０２７７】
（１１）ガラス基板と、前記ガラス基板の一面に互いに隣接して形成された複数の光透過性を有する突起部と、前記突起部同士の間に形成された空隙部と、を備え、前記突起部の前記ガラス基板側の端面の面積は、前記突起部の前記ガラス基板とは反対側の端面の面積よりも大きく、前記複数の突起部において、互いに隣接する２つの前記突起部の間隔ｓと前記突起部の幅ｗとの比ｓ／ｗが０．１以下である窓ガラス。【０２７８】
（１２）ガラス基板と、前記ガラス基板の一面に互いに隣接して形成された複数の光透過性を有する突起部と、前記突起部同士の間に形成された空隙部と、を備え、前記ガラス基板の一面において前記突起部同士の間の領域に設けられた光吸収体と、を備えている窓ガラス。【０２７９】
（１３）ガラス基板と、前記ガラス基板の一面に互いに隣接して形成された複数の光透過性を有する突起部と、前記突起部同士の間に形成された空隙部と、を備え、前記ガラス基板の一面において前記突起部同士の間の領域に設けられた第２の突起部と、を備え、前記第２の突起部は、前記ガラス基板の一面に対して傾斜した傾斜面を有し、前記第２の突起部の高さは前記突起部の高さよりも小さい窓ガラス。【０２８０】
（１４）前記突起部の前記ガラス基板側の端面の面積は、前記突起部の前記ガラス基板とは反対側の端面の面積よりも大きい上記（１１）から（１３）までのいずれか一項に記載の窓ガラス。【０２８１】
（１５）前記複数の突起部には、側面の傾斜角度が、前記ガラス基板側から前記ガラス基板とは反対側にかけて、連続的または段階的に変化する複数の突起部が含まれている上記（１４）に記載の窓ガラス。【０２８２】
（１６）前記複数の突起部には、側面の傾斜角度が互いに異なる複数の突起部が含まれている上記（１４）又は（１５）に記載の係る窓ガラス。【０２８３】
（１７）前記突起部は、直線状または曲線状に延在しており、前記突起部の前記延在方向と直交する断面における前記突起部の２つの側面は、いずれも側面の傾斜角度が、前記ガラス基板側から前記ガラス基板とは反対側にかけて、連続的または段階的に変化する上記（１４）から（１６）までのいずれか一項に記載の窓ガラス。【０２８４】
（１８）ガラス基板と、前記ガラス基板の一面に互いに隣接して形成された複数の光透過性を有する突起部と、前記突起部同士の間に形成された空隙部と、を備え、前記複数の突起部には、側面の傾斜角度が、前記ガラス基板側から前記ガラス基板とは反対側にかけて、連続的または段階的に変化する複数の突起部が含まれている窓ガラス。【０２８５】
（１９）ガラス基板と、前記ガラス基板の一面に互いに隣接して形成された複数の光透過性を有する突起部と、前記突起部同士の間に形成された空隙部と、を備え、前記複数の突起部には、側面の傾斜角度が互いに異なる複数の突起部が含まれている窓ガラス。【０２８６】
（２０）前記複数の突起部には、互いに隣接する２つの前記突起部の一部が接している構成が含まれている上記（１４）から（１７）までのいずれか一項に記載の窓ガラス。【０２８７】
（２１）採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下であるロールスクリーン。【０２８８】
（２２）採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えているロールスクリーン。【０２８９】
（２３）採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さいロールスクリーン。【０２９０】
（２４）前記突起部の前記基材側の端面の面積は、前記突起部の前記基材とは反対側の端面の面積よりも大きい上記（２１）から（２３）までのいずれか一項に記載のロールスクリーン。【０２９１】
（２５）前記複数の突起部には、側面の傾斜角度が、前記基材側から前記基材とは反対側にかけて、連続的または段階的に変化する複数の突起部が含まれている上記（２４）に記載のロールスクリーン。【０２９２】
（２６）前記複数の突起部には、側面の傾斜角度が互いに異なる複数の突起部が含まれている上記（２４）又は（２５）に記載のロールスクリーン。【０２９３】
（２７）前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化する上記（２４）から（２６）までのいずれか一項に記載のロールスクリーン。【０２９４】
（２８）採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれているロールスクリーン。【０２９５】
（２９）採光フィルムと、前記採光フィルムを軸心の回りに巻き取る巻き取り機構と、前記軸心および前記巻き取り機構を収容する収容部と、を備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれているロールスクリーン。【０２９６】
（３０）前記複数の突起部には、互いに隣接する２つの前記突起部の一部が接している構成が含まれている上記（２４）から（２７）までのいずれか一項に記載のロールスクリーン。【０２９７】
（３１）互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記突起部の前記基材側の端面の面積は、前記突起部の前記基材とは反対側の端面の面積よりも大きく、前記複数の突起部において、互いに隣接する２つの前記突起部の間隔ｓと前記突起部の幅ｗとの比ｓ／ｗが０．１以下である採光ルーバー。【０２９８】
（３２）互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、前記基材の一面において前記突起部同士の間の領域に設けられた光吸収体と、を備えている採光ルーバー。【０２９９】
（３３）互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記基材の一面において前記突起部同士の間の領域に設けられた第２の突起部と、を備え、前記第２の突起部は、前記基材の一面に対して傾斜した傾斜面を有し、前記第２の突起部の高さは前記突起部の高さよりも小さい採光ルーバー。【０３００】
（３４）前記突起部の前記基材側の端面の面積は、前記突起部の前記基材とは反対側の端面の面積よりも大きい上記（３１）から（３３）までのいずれか一項に記載の採光ルーバー。【０３０１】
（３５）前記複数の突起部には、側面の傾斜角度が、前記基材側から前記基材とは反対側にかけて、連続的または段階的に変化する複数の突起部が含まれている上記（３４）に記載の採光ルーバー。【０３０２】
（３６）前記複数の突起部には、側面の傾斜角度が互いに異なる複数の突起部が含まれている上記（３４）又は（３５）に記載の係る採光ルーバー。【０３０３】
（３７）前記突起部は、直線状または曲線状に延在しており、前記突起部の前記延在方向と直交する断面における前記突起部の２つの側面は、いずれも側面の傾斜角度が、前記基材側から前記基材とは反対側にかけて、連続的または段階的に変化する上記（３４）から（３６）までのいずれか一項に記載の採光ルーバー。【０３０４】
（３８）互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が、前記基材側から前記基材とは反対側にかけて、連続的または段階的に変化する複数の突起部が含まれている採光ルーバー。【０３０５】
（３９）互いに所定の間隔を空けて傾動自在に支持された複数の採光フィルムを備え、前記採光フィルムは、光透過性を有する基材と、前記基材の一面に互いに隣接して形成された複数の光透過性を有する突起部と、前記突起部同士の間に形成された空隙部と、を備え、前記複数の突起部には、側面の傾斜角度が互いに異なる複数の突起部が含まれている採光ルーバー。【０３０６】
（４０）前記複数の突起部には、互いに隣接する２つの前記突起部の一部が接している構成が含まれている上記（３４）から（３７）までのいずれか一項に記載の採光ルーバー。
【産業上の利用可能性】
【０３０７】
本発明は、採光フィルム、窓ガラス、ロールスクリーンおよび採光ルーバーに利用可能である。
【符号の説明】
【０３０８】
１〜７，１Ａ，５０〜５４，１００〜１０２，４０１…採光フィルム、１０，３９…基材、１１，６１，７１，７２，７３…突起部、１１ａ…光入射端面（端面）、１１ｂ…光射出端面（端面）、１１ｃ１，１１ｃ２…側面、１２…空隙部、１４…光吸収体、１５〜１７…第２の突起部、１５ｂ，１６ｂ…側面（傾斜面）、１７ａ…側面（傾斜面）、２１…ガラス基板、１８…突起部、１９…空隙部、２７…巻き取り機構、２７ａ…軸心、２００〜２０７，５０１…窓ガラス、３００…ロールスクリーン、４００…採光ルーバー、ｈ，ｈ１…突起部の高さ、ｈ２…第２の突起部の高さ
【図１】
2014196596.tif 000003
【図２】
2014196596.tif 000004
【図３】
2014196596.tif 000005
【図４】
2014196596.tif 000006
【図５】
2014196596.tif 000007
【図６】
2014196596.tif 000008
【図７】
2014196596.tif 000009
【図８】
2014196596.tif 000010
【図９】
2014196596.tif 000011
【図１０】
2014196596.tif 000012
【図１１】
2014196596.tif 000013
【図１２】
2014196596.tif 000014
【図１３】
2014196596.tif 000015
【図１４】
2014196596.tif 000016
【図１５】
2014196596.tif 000017
【図１６】
2014196596.tif 000018
【図１７】
2014196596.tif 000019
【図１８】
2014196596.tif 000020
【図１９】
2014196596.tif 000021
【図２０】
2014196596.tif 000022
【図２１】
2014196596.tif 000023
【図２２】
2014196596.tif 000024
【図２３】
2014196596.tif 000025
【図２４】
2014196596.tif 000026
【図２５】
2014196596.tif 000027
【図２６】
2014196596.tif 000028
【図２７】
2014196596.tif 000029
【図２８】
2014196596.tif 000030
【図２９】
2014196596.tif 000031
【図３０】
2014196596.tif 000032
【図３１】
2014196596.tif 000033
【図３２】
2014196596.tif 000034
【図３３】
2014196596.tif 000035
【図３４】
2014196596.tif 000036
【図３５】
2014196596.tif 000037
【図３６】
2014196596.tif 000038
【図３７】
2014196596.tif 000039
【図３８】
2014196596.tif 000040
【図３９】
2014196596.tif 000041
【図４０】
2014196596.tif 000042
【図４１】
2014196596.tif 000043
【図４２】
2014196596.tif 000044
【図４３】
2014196596.tif 000045
【国際調査報告】
2014196596.tif 000046
2014196596.tif 000047
2014196596.tif 000048
2014196596.tif 000049
2014196596.tif 000050
2014196596.tif 000051
2014196596.tif 000052
2014196596.tif 000053
2014196596.tif 000054